(57)【要約】      （修正有）【課題】超音波洗浄の洗浄力が位置によって不揃いとなる、いわゆる洗浄ムラが生じることを抑制する排水システムを提供する。【解決手段】本発明の排水システムは、水受け部の下流端と接続されると共に封水水位Ｗ２で通常時の封水を形成する排水本体部と、排水本体部に供給される水により、封水の水位を、封水水位Ｗ２より高い最大水位Ｗ１まで上昇させる水位上昇手段と、封水に超音波を発振する超音波発振器と、超音波発振器の発振を制御する制御装置と、排水本体部への水の供給開始に対応した供給開始信号を制御装置に送信する供給開始信号送信部と、を備え、制御装置は、供給開始信号送信部からの供給開始信号を受信して以後、排水本体部内の水位が最大水位Ｗ１まで上昇する前に、超音波発振器による発振を開始させる。【選択図】図１４
2020051220.tif 000002
【特許請求の範囲】
【請求項１】
水を排水する排水システムであって、
水受け部の下流端と接続され、上記水受け部に吐水された水を排水するとともに、吐水された水の一部を貯留させて第１水位で通常時の封水を形成する排水本体部と、
上記排水本体部に供給される水により、封水の水位を上記第１水位より高い洗浄時の封水の水位として設定された第２水位まで上昇させる水位上昇手段と、
封水に超音波を発振する超音波発振器と、
上記超音波発振器の発振を制御する制御装置と、
上記排水本体部への水の供給開始に対応した供給開始信号を上記制御装置に送信する供給開始信号送信部と、を備え、
上記制御装置は、上記供給開始信号送信部からの上記供給開始信号を受信して以後、上記排水本体部内の水位が上記第２水位まで上昇する前に、上記超音波発振器による発振を開始させることを特徴とする排水システム。
【請求項２】
上記制御装置は、封水の水位が上昇中に上記超音波発振器による発振を開始させる、請求項１に記載の排水システム。
【請求項３】
さらに、上記水受け部と上記排水本体部とが接続される部分において、上記排水本体部から上記水受け部にかけて流路径が拡大する拡径部を有し、
上記制御装置は、封水の水位が上記拡径部が形成された第３水位以上となる場合に、上記超音波発振器による発振を開始させる、請求項１又は２に記載の排水システム。
【請求項４】
上記制御装置は、封水の水位が上記第１水位まで低下した後に、上記超音波発振器による発振を停止させる、請求項１乃至３の何れか１項に記載の排水システム。
【請求項５】
上記制御装置は、封水の水位が上記第２水位となっている期間において上記超音波発振器による発振を継続させる、請求項１乃至４の何れか１項に記載の排水システム。
【発明の詳細な説明】
【技術分野】
【０００１】
本発明は、排水システムに係り、特に、水を排水する排水システムに関する。
【背景技術】
【０００２】
従来、特許文献１に示すように、シンクの底面に設けられ且つ超音波発信器を備えている排水システムが知られている。この排水システムにおいては、使用者が排水システムの排水部の汚れを落とそうとする際、使用者は操作部のスイッチを入操作する。操作部の入操作により、排水部の排水弁が閉じられると共に給水弁が開かれて排水部内に水が給水される。排水部内に水が貯められた状態で超音波洗浄が行われ、排水部内の汚れが洗浄される。
【０００３】
また、特許文献２に示すように、シンクの底面に設けられ且つ超音波発信器を備えている排水システムが知られている。この排水システムにおいては、使用者が超音波洗浄を行う際、使用者は操作部の操作ボタンを押し、排水システムの排水孔を閉止させる。排水孔が閉じられた状態でシンクに水が流されると、水が排水システムの排水容器に溜められる。排水容器に水が貯められた状態で超音波洗浄が行われ、排水部内の汚れが洗浄される。
【先行技術文献】
【特許文献】
【０００４】
【特許文献１】特開２００４−３２４１０８号公報
【特許文献２】特開２００７−２８５０９７号公報
【発明の概要】
【発明が解決しようとする課題】
【０００５】
しかしながら、特許文献１及び２に示すような従来の排水システムでは、先ず、排水部の上部まで水が貯められ、排水部の上端部まで水が貯められた状態で、超音波洗浄が実行されていた。このように排水部の上部まで水が貯められた状態で、超音波洗浄を実行した場合、排水部内において重なり合う超音波の腹と節が特定の位置に発生したままほぼ固定され、超音波洗浄の洗浄力が位置によって不揃いとなる、いわゆる洗浄ムラを生じるという問題があった。
【０００６】
そこで、本発明は、上述した従来技術の問題点を解決するためになされたものであり、超音波洗浄の洗浄力が位置によって不揃いとなる、いわゆる洗浄ムラを生じることを抑制することを目的としている。
【課題を解決するための手段】
【０００７】
上述した課題を解決するために、本発明は、水を排水する排水システムであって、水受け部の下流端と接続され、上記水受け部に吐水された水を排水するとともに、吐水された水の一部を貯留させて第１水位で通常時の封水を形成する排水本体部と、上記排水本体部に供給される水により、封水の水位を上記第１水位より高い洗浄時の封水の水位として設定された第２水位まで上昇させる水位上昇手段と、上記封水に超音波を発振する超音波発振器と、上記超音波発振器の発振を制御する制御装置と、上記排水本体部への水の供給開始に対応した供給開始信号を上記制御装置に送信する供給開始信号送信部と、を備え、上記制御装置は、上記供給開始信号送信部からの上記供給開始信号を受信して以後、上記排水本体部内の水位が上記第２水位まで上昇する前に、上記超音波発振器による発振を開始させることを特徴としている。
このように構成された本発明においては、制御装置は、供給開始信号送信部からの供給開始信号を受信して以後、封水の水位が第２水位まで上昇する前に、超音波発振器による発振を開始させる。これにより、超音波発振器により超音波を発振させながら封水の水位を変動させることができ、封水内において重なり合う超音波の腹と節の位置を変化させることができる。よって、本発明によれば、超音波洗浄の洗浄力が位置によって不揃いとなる、いわゆる洗浄ムラが生じることを抑制することができる。
【０００８】
本発明において、好ましくは、上記制御装置は、封水の水位が上昇中に上記超音波発振器による発振を開始させる。
このように構成された本発明においては、制御装置は、封水の水位が上昇中に超音波発振器による発振を開始させる。これにより、封水の水位が上昇する前に排水本体部への水の供給が終了してしまうような場合における超音波発振器の作動を抑制することができる。よって、封水の水位が上昇せず排水本体部における比較的低い部位に対する超音波洗浄のみが行われてしまうこと、及び、このような超音波洗浄を実行するために超音波発振器の耐久性を低下させてしまうことを抑制させることができる。
【０００９】
本発明において、好ましくは、さらに上記水受け部と上記排水本体部とが接続される部分において、上記排水本体部から上記水受け部にかけて流路径が拡大する拡径部を有し、上記制御装置は、封水の水位が上記拡径部が形成された第３水位以上となる場合に、上記超音波発振器による発振を開始させる。
本発明者は水受け部と排水本体部とが接続される部分において、排水本体部から水受け部にかけて流路径が拡大する拡径部を有する場合、当該箇所を超音波により洗浄しようとする場合には、超音波の伝播の範囲が拡径部において広がるため、超音波が拡散し洗浄機能が低下してしまう課題を見出した。
このように構成された本発明においては、制御装置は、封水の水位を上昇させて、拡径部が形成された第３水位以上となった時点で超音波発振器による発振を開始させる。封水形成部の汚れを洗浄しにくくなる拡径部に水位が到達してから超音波洗浄を行うため、洗浄性能が低下する部分において超音波洗浄能力を向上させることができ、且つ第３水位より低い水位で超音波発振器による発振を省略することにより超音波発振器の耐久性が低下することを抑制させることができる。
【００１０】
本発明において、好ましくは、上記制御装置は、封水の水位が上記第１水位まで低下した後に、上記超音波発振器による発振を停止させる。
このように構成された本発明においては、制御装置は、封水水位が第１水位まで低下した後に、超音波発振器による発振を停止させる。これにより、水位下降終了までの間、封水の水位を変動させながら、超音波発振器により超音波を発振させることができる。よって、本発明によれば、いわゆる洗浄ムラを生じることをより確実に抑制することができる。
【００１１】
本発明において、好ましくは、上記制御装置は、封水の水位が上記第２水位となっている期間において上記超音波発振器による発振を継続させる。
このように構成された本発明においては、制御装置は、封水水位が第２水位となっている期間において超音波発振器による発振を継続させる。これにより、制御装置は、排水本体部内の第２水位まで水がある期間において超音波洗浄を継続して実行させ、封水の水位が第２水位まで上昇した領域内の超音波洗浄能力をより向上させることができる。
【発明の効果】
【００１２】
本発明の排水システムによれば、超音波洗浄の洗浄力が位置によって不揃いとなる、いわゆる洗浄ムラが生じることを抑制することができる。
【図面の簡単な説明】
【００１３】
【図１】本発明の第１実施形態による排水システムを正面から見た正面図である。
【図２】本発明の第１実施形態による排水システムを側面から見た側面図である。
【図３】図１のＩＩＩ−ＩＩＩ線に沿って見た拡大断面図である。
【図４】図３のＩＶ−ＩＶ線に沿って見た断面図である。
【図５】図３のＶ−Ｖ線に沿って見た断面図である。
【図６】本発明の第１実施形態による排水システムの構造を概略的に示すブロック図である。
【図７】本発明の第１実施形態による排水システムの待機状態において汚れを含む水が流入した状態を示す部分拡大断面図である。
【図８】本発明の第１実施形態による排水システムの排水本体部に水の流入が開始された状態を示す部分拡大断面図である。
【図９】本発明の第１実施形態による排水システムの排水本体部にさらに水が流入し、流入した水が第２排水流路を介して出口流路に流出されると共に、第１排水流路の上昇部内の水位を上昇させる状態を示す部分拡大断面図である。
【図１０】本発明の第１実施形態による排水システムの排水本体部にさらに水が流入し、第１排水流路内の水位が最大水位まで到達した状態を示す部分拡大断面図である。
【図１１】本発明の第１実施形態による排水システムの排水本体部への水の流入が停止し、第２排水流路の入口より上方の水が第２排水流路を介して出口流路に流出され、第１排水流路内の水位が徐々に低下する状態を示す部分拡大断面図である。
【図１２】本発明の第１実施形態による排水システムにおいて一連の洗浄動作の終了後に待機状態に戻った様子を示す部分拡大断面図である。
【図１３】本発明の第１実施形態による排水システムにおける制御装置の制御内容を示すフローチャートである。
【図１４】本発明の第１実施形態による排水システムにおいて、流量センサによる吐水の検知状態、排水本体部内の水位、超音波発振器の作動状態を示すタイミングチャートである。
【図１５】本発明の第１実施形態による排水システムの第１変形例における制御装置の制御内容を示すフローチャートである。
【図１６】本発明の第１実施形態による排水システムの第１変形例において、流量センサによる吐水の検知状態、排水本体部内の水位、超音波発振器の作動状態を示すタイミングチャートである。
【図１７】本発明の第１実施形態による排水システムの第２変形例における制御装置の制御内容を示すフローチャートである。
【図１８】本発明の第１実施形態による排水システムの第２変形例において、流量センサによる吐水の検知状態、排水本体部内の水位、超音波発振器の作動状態を示すタイミングチャートである。
【図１９】本発明の第１実施形態による排水システムの第３変形例の構成を正面から見た正面図である。
【図２０】本発明の第１実施形態による排水システムの第３変形例における制御装置の制御内容を示すフローチャートである。
【図２１】本発明の第１実施形態による排水システムの第３変形例において、操作スイッチの状態、排水本体部内の水位、超音波発振器の作動状態を示すタイミングチャートである。
【図２２】本発明の第２実施形態による排水システムを備えた浴室の斜視図である。
【図２３】図２２のＸＸＩＩＩ−ＸＸＩＩＩ線に沿って見た浴室の床面近傍部分の部分拡大断面図である。
【図２４】本発明の第３実施形態による排水システムを備えた浴室の斜視図である。
【図２５】図２４のＸＸＶ−ＸＸＶ線に沿って見た浴室の床面近傍部分の部分拡大断面図である。
【図２６】本発明の第４実施形態による排水システムを備えた洗面用水栓装置の斜視図である。
【図２７】図２６のＸＸＶＩＩ−ＸＸＶＩＩ線に沿って見た洗面用水栓装置の洗面ボウルの床面近傍部分の部分拡大断面図である。
【図２８】本発明の第１実施形態による排水システムの第４変形例における排水本体部において弁体が開状態となっている様子を示す拡大断面図である。
【図２９】本発明の第１実施形態による排水システムの第４変形例における排水本体部において弁体が流路断面積減少状態となっている様子を示す拡大断面図である。
【図３０】本発明の第１実施形態による排水システムの第５変形例における排水本体部において排水流路の頂部が低位置状態となっている様子を示す拡大断面図である。
【図３１】本発明の第１実施形態による排水システムの第５変形例における排水本体部において排水流路の頂部が高位置状態となっている様子を示す拡大断面図である。
【発明を実施するための形態】
【００１４】
以下では、本明細書に開示する本発明の実施の形態について、図面を用いて詳細に説明する。以下の説明から、当業者にとって、本発明の多くの改良や他の実施の形態が明らかである。従って、以下の説明は、例示としてのみ解釈されるべきであり、本発明を実行する最良の態様を当業者に教示する目的で提供されたものである。本発明の精神を逸脱することなく、その構造及び／又は機能の詳細を実質的に変更することができる。
【００１５】
以下、添付図面を参照して本発明の第１実施形態による排水システムについて説明する。
図１は本発明の第１実施形態による排水システムを正面から見た正面図であり、図２は本発明の第１実施形態による排水システムを側面から見た側面図である。
図１及び図２に示すように、本発明の第１実施形態による排水システム１は、キッチンに設けられ、超音波洗浄を行うシステムである。排水システム１は、超音波洗浄機能付きのシステムである。排水システム１は、キッチンシステム以外の他のシステムであってもよい。
【００１６】
排水システム１は、キッチン２に設けられた水受け部であるシンク４と、このシンク４に水（湯水）を吐水するキッチン用水栓であるキッチン用水栓装置（吐水部）６と、シンク４の底部４ａの下流端と接続される排水本体部８とを備えている。
排水本体部  シンク４は、キッチン用水栓装置６から吐水された水を下流側に排出するように形成される。
キッチン用水栓装置６は、上流側において、給水源（図示せず）から水が供給される水給水路９及び、湯が供給される湯給水路１１に接続される。キッチン用水栓装置６は、湯水混合栓６ａを備え、水給水路９からの水と、湯給水路１１からの湯とを混合し、吐水部６ｂから吐水させる。水給水路９及び湯給水路１１は、一旦上方に延び、湯水混合栓６ａに接続され、吐水側流路６ｃが湯水混合栓６ａから下方側に延び、後述する流量センサ２０を通り、吐水部６ｂまで再び上昇して延びている。
【００１７】
次に、図３を参照して、本発明の第１実施形態による排水システムの排水本体部について説明する。
図３は図１のＩＩＩ−ＩＩＩ線に沿って見た断面図であり、図４は図３のＩＶ−ＩＶ線に沿って見た断面図であり、図５は図３のＶ−Ｖ線に沿って見た断面図である。
排水本体部８は、シンク４側に開口される入口部１０と、入口部１０の下流側に設けられるトラップ形状の流路である第１排水流路１２と、第１排水流路１２から分岐される第２排水流路１４と、一定の大きさの汚れが第２排水流路１４に侵入することを抑制する侵入抑制部１６を備えている。排水本体部８は、シンク４に吐水された水を排水するとともに、吐水された水の一部を貯留させてその内部に封水水位Ｗ２で通常時の封水を形成する封水形成部として機能する。入口部１０は、底部４ａの一部が下方に窪むことにより形成されている。排水本体部８の入口部１０は、排水口部分においてシンク４の底部４ａのくぼみ形状により形成されている。なお、排水本体部８には、後述するようにシンク４からの流路とは別の水の供給流路が接続されていてもよい。別の水の供給流路は、別の給水源（図示せず）に接続されてもよい。すなわち、排水本体部８内に供給される水には、シンク４からの流路とは別の水の供給流路から排水本体部８内に流入する水も含まれる。また、排水本体部８内に流入する水には、洗剤、シャンプー、ボディーソープ、食器の汚れ、シンクの汚れ等のいずれかを含むような水、例えば生活排水も含まれる。
ここで本明細書において「封水」とは、臭気などを遮断するための排水本体部や水受け部内に設けられる、トラップにより水が満たされた部分をいう。また「通常時の封水」とは、キッチン用水栓等の吐水部から水の吐水を行わない吐水部の不使用時（待機状態）における期間の封水をいい、「洗浄時の封水」とは、排水本体部や水受け部を超音波を用いて洗浄する際の封水をいう。
【００１８】
排水本体部８は、第３水位Ｗ３（図８参照）の高さにおいて上方側に向かって拡径される拡径部８ａを形成している。拡径部８ａは、排水本体部８の下方側部分よりも外周方向に広がった部分に壁面を形成している。拡径部８ａはシンク４と排水本体部８とが接続される部分において、排水本体部８からシンク４にかけて流路径が拡大するように形成される。後述する超音波発振器２２から直進する超音波が拡径部８ａまで回折するように回り込むことから拡径部８ａにおいては超音波洗浄の能力が低下しやすくなる。よって、拡径部８ａは、排水本体部８の汚れを洗浄しにくくなる部分を形成している。
【００１９】
侵入抑制部１６は、後述する第２排水流路１４の入口部１４ａに形成されている。侵入抑制部１６は、板状体に複数の貫通孔３２を形成している。侵入抑制部１６は、一定の大きさ及び形状の汚れ（例えば小物体状の汚れ）の侵入を抑制すると共に通過する汚れの大きさを制限できる。
【００２０】
再び、図３及び図６を参照して、本発明の第１実施形態による排水システムについて説明する。
図６は本発明の第１実施形態による排水システムの構造を概略的に示すブロック図である。
排水システム１は、さらに、入口部１０の上方を覆うように配置される蓋１８と、キッチン用水栓装置６から吐水される水を検知する検知部である流量センサ２０と、排水本体部８内の水に超音波を発振する超音波発振器２２と、超音波発振器２２の作動を制御する制御装置２４と、排水本体部８の第１排水流路１２の下流側に設けられる出口流路２６と、排水本体部８内の流路上に設けられ且つ網目を有する網かご２８とを備えている。入口部１０及び排水本体部８はシンク４の排水口部分を形成している。
【００２１】
蓋１８には、水やごみ等の小物体が流入する孔（図示せず）が形成されている。
流量センサ２０は、キッチン用水栓装置６の湯水混合栓６ａと吐水部６ｂとの間に設けられる。流量センサ２０は、キッチン用水栓装置６の吐水部６ｂから吐水される水の単位時間あたりの流量を検知できる。また、流量センサ２０は、単位時間あたりの流量を検知することにより、吐水部６ｂから吐水がなされることを検知できる。流量センサ２０は、制御装置２４と電気的に接続されている。流量センサ２０は、排水本体部８への水の供給開始である水流の流量の検知開始、に対応した供給開始信号である検知信号を制御装置２４に送信している。よって、流量センサ２０は、排水本体部８への水の供給開始に対応した供給開始信号を制御装置２４に送信する供給開始信号送信部として機能する。流量センサ２０は、排水本体部８への水の供給中は供給開始信号がＯＮ状態となっている。
【００２２】
超音波発振器２２は、排水本体部８内の入口部１０の下方に設けられている。超音波発振器２２は、排水本体部８の底部に設けられ、上方に向けて電波を発振するように配置されている。超音波発振器２２は、発振中の発振周波数を一定に維持している。超音波発振器２２は、制御装置２４と電気的に接続されている。
【００２３】
制御装置２４は、ＣＰＵ及びメモリ等を内蔵し、流量センサ２０から送信される検知信号を受信する機能を有すると共にメモリに記憶された所定の制御プログラム等に基づいて超音波発振器２２の動作を制御する。制御装置２４は、超音波発振器２２による超音波の発振及び発振の停止を制御する。制御装置２４は、流量センサ２０による吐水される水の検知と連動して、超音波発振器２２による発振を開始させる超音波洗浄モードを備え、この超音波洗浄モードにより、キッチン用水栓装置６からの吐水の開始と超音波洗浄の開始とを連動させることができる。
【００２４】
網かご２８は、排水本体部８の上流側部分に配置されている。網かご２８は、上記排水本体部８よりも上方に配置されている。網かご２８は、入口部１０の下方側の流路全体を覆うように形成される。網かご２８は、底部４ａの下方に窪んだ窪みの内部に配置される。網かご２８の上端は入口部１０に配置されている。網かご２８は、水を通過させる一方、ごみ等の小物体を通過させずに網かご２８内に留めるようになっている。網かご２８は、ごみ等を補足する機能を有する任意の形状のごみ捕捉部材に変更可能である。
【００２５】
出口流路２６は、第１排水流路１２の下流端に接続され、鉛直方向下方に延びている。出口流路２６は、さらに下流側の排水配管（図示せず）に接続される。出口流路２６は、その一部が排水本体部８によって形成されていてもよい。
【００２６】
次に、図３乃至図５を参照して、本発明の第１実施形態による排水システムの第１排水流路１２及び第２排水流路１４について説明する。
排水システム１の排水本体部８の第１排水流路１２は、入口部１０の下方に接続される接続部１２ａと、排水トラップを形成するように下流側に向けて斜め上方に上昇する上昇流路である第１排水流路上昇部１２ｂと、第１排水流路上昇部１２ｂと下降部１２ｄとの間において排水トラップの第１排水流路上昇部１２ｂと接続する折り返し部分である頂部１２ｃと、第１排水流路上昇部１２ｂの下流側に設けられ且つ頂部１２ｃから下降する下降流路である下降部１２ｄとを備えている。下降部１２ｄは出口流路２６と接続される。
【００２７】
第１排水流路１２は、第１排水流路上昇部１２ｂから下降部１２ｄに向けて折り返すトラップ形状の流路である。下降部１２ｄは第１排水流路上昇部１２ｂの下流端に接続され且つほぼ鉛直方向下方に延びるように形成されている。排水本体部８の内部の接続部１２ａ、第１排水流路上昇部１２ｂ及び第２排水流路１４において後述するように封水が形成され、第１水位である封水水位Ｗ２（図７参照）が規定される。また、第１排水流路１２は、トラップ形状の流路の頂部１２ｃにより入口部１０の高さ以下の最大水位Ｗ１（図１０参照）を規定するように構成されている。最大水位Ｗ１は、洗浄時の封水の水位として設定された第２水位である。最大水位Ｗ１は、網かご２８の底面よりも高い位置、例えば網かご２８の上部に規定されている。最大水位Ｗ１は、網かご２８の少なくとも一部に水が接する水位に設定されている。最大水位Ｗ１は、網かご２８の上方に規定されていてもよい。第１排水流路１２の頂部１２ｃが、排水本体部８の入口部１０の高さに設けられることにより、第１排水流路１２により規定される最大水位Ｗ１は、排水本体部８の入口部１０の高さとされる。第１排水流路１２は、後述する単位時間あたりの第２排水量よりも大きな単位時間あたりの第１排水量を出口流路２６に排水できるような第１の流路断面積Ｄ１に形成されている。第１の流路断面積Ｄ１は、第１排水流路１２の流路断面積のうち最小の流路断面積である。
【００２８】
第２排水流路１４は、第１排水流路１２の頂部１２ｃより上流側に設けられた第２排水流路１４の入口部１４ａから頂部１２ｃより下流側に設けられた出口部１４ｂまで延びるバイパス流路を形成する。第２排水流路１４は、入口部１４ａから下流側に向けて斜め上方に上昇する第２排水流路上昇部１４ｈと、入口部１４ａと出口部１４ｂとの間において最も高い部分を形成し且つ折り返し部分を形成する頂部１４ｃと、頂部１４ｃから下降する第２排水流路下降部１４ｉとを備えている。
【００２９】
第２排水流路１４の入口部１４ａは、第１排水流路１２の第１排水流路上昇部１２ｂの下面に接続されている。出口部１４ｂは、出口流路２６の側壁に接続されている。
【００３０】
第２排水流路１４は、入口部１４ａと出口部１４ｂとの間に最も高い部分を形成し且つ折り返し部分を形成する頂部１４ｃを形成している。第２排水流路１４は、頂部１４ｃにより排水本体部８内の封水水位Ｗ２（図７参照）を規定する。なお、第２排水流路１４は、例えば第２排水流路１４の中間部分又はその出口が流路の最も高い部分を構成することにより封水水位Ｗ２を規定するように構成されてもよい。また、封水水位Ｗ２は、第２排水流路１４以外の構成により規定されていてもよい。封水水位Ｗ２は、網かご２８より下方に規定される。封水水位Ｗ２は、第１排水流路上昇部１２ｂの中央近傍又は下側部分に位置し、排水本体部８の中央近傍又は下側部分に位置している。
【００３１】
第２排水流路１４は、さらに、その流路の一部を絞る絞り部３０を備えている。第２排水流路１４の入口部１４ａから絞り部３０の直前までの流路の高さは、ほぼ一定の高さＨ１である。第２排水流路１４の絞り部３０の流路の高さは、高さＨ１よりも低い高さＨ２である。
【００３２】
図４に示すように、第２排水流路１４の入口部１４ａの流路断面は、扁平形状に形成されている。入口部１４ａの流路断面は、長方形形状である。第２排水流路１４は、その入口部１４ａから絞り部３０までの流路の幅が徐々に小さくなるように形成されている。
第２排水流路１４は、絞り部３０において、単位時間あたりに第２排水量を出口流路２６に排水できるような第２の流路断面積Ｄ２に形成されている。第２の流路断面積Ｄ２は、第２排水流路１４の流路断面積のうち最小の流路断面積である。第２排水流路１４の第２の流路断面積Ｄ２は第１排水流路１２の第１の流路断面積Ｄ１よりも小さい。よって、第２排水流路１４は、絞り部３０により第１排水流路１２よりも大きな流路抵抗を有するように形成されている。第２排水流路１４は、第２排水流路１４の絞り部３０の単位時間あたりの第２排水量を超える単位時間あたりの流入量の水が排水本体部８内に流入する場合に、排水本体部８内の水位を、封水水位Ｗ２より高く且つ第１排水流路１２により規定される最大水位Ｗ１まで少なくとも上昇させるように機能する。
【００３３】
侵入抑制部１６の複数の貫通孔３２のうちの各貫通孔３２の流路断面積は、第２排水流路１４の絞り部３０の第２の流路断面積Ｄ２よりも小さい。
【００３４】
第１排水流路１２及び第２排水流路１４は、排水本体部８内の水位が最大水位Ｗ１を超えないように、排水本体部８内に流入する水を出口流路２６に排水させる排水手段として機能する。少なくとも第１排水流路１２は、排水本体部８内の水位が最大水位Ｗ１を超えないように、第１排水流路１２内の水を出口流路２６に排水させるように機能する。排水手段は、第１排水流路１２及び第２排水流路１４により、排水本体部８内の水位が最大水位Ｗ１に到達した場合、排水本体部８から出口流路２６に流出する水の単位時間あたりの排水量が排水本体部８内に流入する水の単位時間あたりの流入量以上にされるように形成されている。排水手段は、排水本体部８内に水が第２排水量を超える流入量でさらに流入されている間、排水本体部８内の水位を最大水位Ｗ１に維持するように形成されている。
【００３５】
第１排水流路１２及び第２排水流路１４は、キッチン用水栓装置６から吐水される水により、封水の水位を、第１排水流路上昇部１２ｂ内の封水水位Ｗ２より高い洗浄時の封水の水位として設定された最大水位Ｗ１まで上昇させる水位上昇手段として機能する。少なくとも第２排水流路１４は、絞り部３０の単位時間あたりの第２排水量を超える単位時間あたりの流入量の水が排水本体部８内に流入する場合に、排水本体部８内の水位を、封水水位Ｗ２より高く且つ最大水位Ｗ１まで少なくとも上昇させるように機能する。
【００３６】
次に、図７乃至図１２により、上述した本発明の第１実施形態による排水システムの動作（作用）を説明する。
図７は本発明の第１実施形態による排水システムの待機状態において汚れを含む水が流入した状態を示す部分拡大断面図であり、図８は本発明の第１実施形態による排水システムの排水本体部に水の流入が開始された状態を示す部分拡大断面図であり、図９は本発明の第１実施形態による排水システムの排水本体部にさらに水が流入し、流入した水が第２排水流路を介して出口流路に流出されると共に、第１排水流路の上昇部内の水位を上昇させる状態を示す部分拡大断面図であり、図１０は本発明の第１実施形態による排水システムの排水本体部にさらに水が流入し、第１排水流路内の水位が最大水位まで到達した状態を示す部分拡大断面図であり、図１１は本発明の第１実施形態による排水システムの排水本体部への水の流入が停止し、水が第２排水流路を介して出口流路に流出され、第１排水流路内の水位が徐々に低下する状態を示す部分拡大断面図であり、図１２は本発明の第１実施形態による排水システムにおいて一連の洗浄動作の終了後に待機状態に戻った様子を示す部分拡大断面図である。図７乃至図１２において、排水本体部内において水が貯留している部分を点線により図示している。
【００３７】
図７には、キッチン用水栓装置６から吐水がなされる前の待機状態が示されている。待機状態においては排水本体部８内の水位は第１排水流路１２の第１排水流路上昇部１２ｂ及び接続部１２ａ及び第２排水流路１４において封水水位Ｗ２となっている。接続部１２ａと第１排水流路上昇部１２ｂとの間の天井部１２ｆが封水水位Ｗ２より下方に位置するので、待機状態において、出口流路２６と入口部１０とが空気的に遮断され、臭気が出口流路２６から入口部１０に上がってくることが確実に防止されている。待機状態においては、キッチン用水栓装置６は止水された状態であり、超音波発振器２２も停止された状態である。待機状態において、使用者が汚れＥを含むような水をシンク４に流すと、この水が排水本体部８に流入する。例えば、図７に示すように、汚れＥが接続部１２ａ、入口部１０、網かご２８等に付着した状態となる。
【００３８】
図８に示すように、キッチン用水栓装置６からの吐水が行われると、矢印Ｆ１に示すように、水がシンク４の底面４ｂから蓋１８を通って入口部１０に流入する。矢印Ｆ２に示すように、入口部１０に流入した水は、網かご２８を通過してさらに流下する。次いで、矢印Ｆ３に示すように、網かご２８から流下する水は、第１排水流路１２の接続部１２ａ内に供給される。矢印Ｆ４に示すように、接続部１２ａ内に供給された水は、侵入抑制部１６から第２排水流路１４の入口部１４ａに流入する。
【００３９】
矢印Ｆ５に示すように、第２排水流路１４の入口部１４ａに流入した水は、上昇して絞り部３０を通過する。矢印Ｆ６に示すように、絞り部３０を通過した水は頂部１４ｃを超えて出口部１４ｂに至る。矢印Ｆ７に示すように、出口部１４ｂから流出する水は、出口流路２６に排水される。第２排水流路１４は、単位時間あたりに第２排水量を出口流路２６に排水できる。
【００４０】
絞り部３０の単位時間あたりの第２排水量（又は一定時間あたりの総排水量）を超える単位時間あたりの流入量（又は一定時間あたりの総流入量）の水が排水本体部８内に流入する場合、水が第２排水流路１４から流出しきれず、排水本体部８内に貯留する。よって、矢印Ｆ８に示すように、第１排水流路１２及び第２排水流路１４により、排水本体部８内に流入する水を第２排水流路１４を介して出口流路２６に流出させながら排水本体部８の接続部１２ａ及び第１排水流路上昇部１２ｂ内の水位を自動的に上昇させる。このとき、使用者の操作がなくとも水位が自動的に上昇する。第２排水流路１４は、その流路の一部を絞る絞り部３０を備えているので、単位時間当たりの第２排水量を比較的低く抑制することができ、比較的少量の水によって第１排水流路上昇部１２ｂ内の水位を上昇させることができる。
【００４１】
図８においては、排水本体部８内の水位は第３水位Ｗ３となっている。排水本体部８は、第３水位Ｗ３において排水本体部８の汚れを洗浄しにくくなる拡径部８ａを形成している。よって、後述するように、制御装置２４は、水位が第３水位Ｗ３以上となる場合に、超音波発振器２２による発振を開始させ、拡径部８ａを洗浄する時間を比較的長くし、拡径部８ａ側の超音波洗浄能力を向上させる。
【００４２】
図９において矢印Ｆ９に示すように、さらに水が排水本体部８内に流入するとき、排水本体部８内に流入する水が、矢印Ｆ１０に示すように第２排水流路１４を介して出口流路２６に流出されると共に、矢印Ｆ１１に示すように排水本体部８の接続部１２ａ及び第１排水流路上昇部１２ｂ内の水位を上昇させる。
【００４３】
図１０において矢印Ｆ１２に示すように、さらに水が排水本体部８内に流入するとき、第１排水流路１２の第１排水流路上昇部１２ｂ内の水位が第１排水流路１２の頂部１２ｃにより規定される最大水位Ｗ１まで上昇される。第１排水流路１２内の水位が最大水位Ｗ１まで到達した状態においては、排水本体部８内に流入する水が、矢印Ｆ１３に示すように第２排水流路１４を介して出口流路２６に流出されると共に、矢印Ｆ１４に示すように第１排水流路１２の頂部１２ｃから下降部１２ｄに流出される。
【００４４】
図１０において、第１排水流路１２内の水位が最大水位Ｗ１に到達した状態から、排水本体部８内に水が第２排水量を超える流入量でさらに流入されても、排水本体部８内の水位は最大水位Ｗ１に維持される。このとき、最大水位Ｗ１は、入口部１０の高さであり、網かご２８の上部に位置する。矢印Ｆ１３に示すように、第２排水流路１４からの排水は継続している。排水本体部８の入口部１０以下の高さにある汚れＥが付着しやすい流路部分、例えば入口部１０、網かご２８、第２排水流路１４の入口部１４ａ、第２排水流路上昇部１４ｈ及び絞り部３０、侵入抑制部１６、第１排水流路１２の接続部１２ａ、第１排水流路上昇部１２ｂ及び頂部１２ｃ等が概ね水に浸かっている。
【００４５】
制御装置２４は、後述するように排水本体部８内の水位が最大水位Ｗ１となる期間のうち少なくとも一部の期間において超音波発振器２２による発振を行わせる。これにより、排水本体部８の概ね全体に超音波Ｋを発振して超音波洗浄を行うことができ、さらに排水本体部８内の汚れＥが付着しやすい流路部分、例えば入口部１０、網かご２８、拡径部８ａ、侵入抑制部１６、第２排水流路１４の入口部１４ａ及び絞り部３０等に超音波洗浄を行うことができる。超音波の例として超音波Ｋを図１０に示している。超音波の節Ｃは、溜水中に発振された超音波が干渉することにより形成される。具体的には、発振された超音波は溜水面Ｓによって跳ね返ってくる超音波との間で干渉され、腹Ｄと節Ｃとを有する定在波が形成される。よって封水内に節Ｃと腹Ｄとの領域が形成される。例えば節Ｃが帯状に水平方向に延びる場合がある。超音波の節Ｃにおける超音波洗浄能力は超音波の腹Ｄにおける超音波洗浄能力と比べてやや低下している。溜水面Ｓの高さが上下動する場合には、超音波Ｋの干渉位置が変化し、節Ｃ及び腹Ｄの位置も変化することとなる。
【００４６】
第１排水流路１２及び第２排水流路１４は、排水本体部８内の水位が最大水位Ｗ１を超えないように、排水本体部８内に流入する水を出口流路２６に排水させている。これにより、排水本体部８内の水位が最大水位Ｗ１を超えて、排水本体部８内の水が入口部１０からシンク４の底面４ｂに溢れ出てしまうことを防止することができる。
第２排水流路１４の単位時間あたりの第２排水量を超える単位時間あたりの流入量の水が排水本体部８内に流入し続ける場合において、単位時間あたりの流入量が第２排水流路１４の単位時間あたりの第２排水量及び第１排水流路１２の単位時間あたりの第１排水量の合計値を超えない限り、排水本体部内の水位の上昇を封水水位Ｗ２から最大水位Ｗ１までの間に制御することができる。なお、第２排水流路１４の単位時間あたりの第２排水量及び第１排水流路１２の単位時間あたりの第１排水量の合計値は、キッチン用水栓装置６の通常の使用態様においてキッチン用水栓装置６から供給される水の供給量が、この合計値を超えないような値として設定されている。
【００４７】
さらに、本実施形態においては、使用者の従来の排水流路に設けられた排水弁等の閉止操作を不要とし、排水本体部８内に水が供給されることにより、第１排水流路１２及び第２排水流路１４の構成に基づいて、排水本体部８内の水位が最大水位Ｗ１まで自動的に到達し、入口部１０及び網かご２８等まで自動的に超音波洗浄を行うことができる。
【００４８】
図１１に示すように、排水本体部８内への水の流入がなくなる又は水の流量が低下されるとき、矢印Ｆ１５及びＦ１６に示すように、第２排水流路１４の頂部１４ｃより上方の水が第２排水流路１４を介して出口流路２６に流出され、矢印Ｆ１７に示すように、第１排水流路１２の接続部１２ａ及び第１排水流路上昇部１２ｂの水位が徐々に低下する。第２排水流路１４は、水位が頂部１４ｃより上方にある場合には、排水を継続している。このように、水位上昇手段として機能する第１排水流路１２及び第２排水流路１４は、排水本体部８への水の流入がなくなった場合、自動的に排水本体部８内の水位を封水水位Ｗ２まで下げるように形成される。
【００４９】
図１２に示すように、排水本体部８内への水の流入がなくなり、第１排水流路１２の接続部１２ａ及び第１排水流路上昇部１２ｂの水位が第２排水流路１４の頂部１４ｃまで低下すると、第２排水流路１４からの水の流出が終了し、排水システム１は待機状態に戻る。このとき排水本体部８内の水位は封水水位Ｗ２となっている。
【００５０】
次に、図１３及び図１４により、上述した本発明の第１実施形態による排水システムの超音波発振器２２の動作（作用）を説明する。
図１３は、本発明の第１実施形態による排水システムにおける制御装置の制御内容を示すフローチャートである。
図１４は、本発明の第１実施形態による排水システムにおいて、流量センサによる吐水の検知状態、排水本体部内の水位、超音波発振器の作動状態を示すタイミングチャートである。図１３において、Ｓは各ステップを示している。
【００５１】
図１４に示すように、処理のスタート時の時刻ｔ０において、キッチン用水栓装置６は、吐水がなされる前の待機状態となっている。排水本体部８内においては水が封水水位Ｗ２（図７参照）に貯留された状態となっている。
最初に、図１３のＳ１において、制御装置２４は、流量センサ２０による水の検知がなされたか否かを判定する。
流量センサ２０による吐水される水の検知がなされた場合（図１４の時刻ｔ１に例示するように検知状態がＯＮとなる場合）には、流量センサ２０は、排水本体部８への水の供給開始に対応した供給開始信号を制御装置２４に送信する。制御装置２４が流量センサ２０からの供給開始信号を受信した場合には、制御装置２４は、キッチン用水栓装置６の吐水部６ｂからの吐水が開始されたと判断できるので、Ｓ２に進む。
流量センサ２０による吐水される水の検知がなされていない場合（図１４の時刻ｔ３に例示するように検知状態がＯＦＦとなる場合）には、制御装置２４は、キッチン用水栓装置６の吐水部６ｂからの吐水が終了した又は停止状態のままであると判断できるので、Ｓ５に進む。
【００５２】
次に、Ｓ２において、制御装置２４は、流量センサ２０により検知した水の流量から排水本体部８内の水位を計算する。具体的には、流量センサ２０により検知した水の単位時間あたりの流量に吐水している時間を乗じて、排水本体部８内に流入する水の水量を算出し、この流入する水量から第２排水流路１４からの排水流量を控除して排水本体部８内の水位を計算する。よって、制御装置２４は、排水本体部８内の水位を比較的正確に算定及び想定することができる。
【００５３】
次に、図１３のＳ３において、制御装置２４は、Ｓ２における計算により排水本体部８内の水位が第３水位Ｗ３に到達したか否かを判定する。
図１４の時刻ｔ２に示すように、排水本体部８内の水位が第３水位Ｗ３に到達した場合には、制御装置２４は、超音波洗浄を行うことにより拡径部８ａを洗浄する時間を比較的長くし、拡径部８ａ側の超音波洗浄能力を向上させることができると判断できるので、超音波発振器２２による発振を開始させるため、Ｓ４に進む。
排水本体部８内の水位が第３水位Ｗ３に到達していない場合には、制御装置２４は、超音波発振器２２による発振を抑制することにより超音波発振器２２の耐久性の低下を抑制することができると判断できるので、Ｓ１に戻る。
【００５４】
次に、Ｓ４において、制御装置２４は、超音波発振器２２により超音波を発振（ＯＮ状態）させる（時刻ｔ２）。よって、制御装置２４は、流量センサ２０からの供給開始信号を受信（時刻ｔ１）して以後、排水本体部８内の水位が最大水位Ｗ１まで上昇する前に、超音波発振器による発振を開始させている。制御装置２４は、排水本体部８内の水位上昇の開始時点以後の上昇中に超音波発振器２２による発振を開始させている。制御装置２４は、排水本体部８内の水位が排水本体部８の汚れを洗浄しにくくなる部分が形成された第３水位Ｗ３以上となる場合に、超音波発振器による発振を開始させている。
【００５５】
制御装置２４は、続いて、Ｓ１に戻る。制御装置２４は、流量センサ２０による水の検知がなされている間は、Ｓ１、Ｓ２、Ｓ３及びＳ４の判定及び処理を繰り返している。以後、制御装置２４は、超音波発振器２２により超音波を継続して発振させている。また、超音波発振器２２により発振される超音波は一定の周波数に保たれている。
【００５６】
なお、変形例としてＳ３及びＳ４は、制御装置２４は、Ｓ２における計算により求められる排水本体部８内の水位が上昇を開始するとき（時刻ｔ２’）に超音波の発振を開始させてもよい（図１４の点線により示す）。水位上昇の開始時点から超音波を発振させることにより、後述する水位上昇中の洗浄ムラを抑制する超音波洗浄を水位上昇開始時から有効に行わせることができる。なお、制御装置２４は、排水本体部８内の水位が水位上昇の開始時点から第３水位Ｗ３までの水位である場合に超音波の発振を開始させてもよい。
また、さらなる変形例としてＳ３及びＳ４は、制御装置２４は、Ｓ２における計算により求められる排水本体部８内の水位が第３水位Ｗ３より上方の水位となるときに超音波を発振させるようにしてもよい。水位上昇の途中における超音波発振器２２による発振を抑制することにより超音波発振器２２の耐久性の低下を抑制することができる。
【００５７】
図１４に示すように、制御装置２４は、時刻ｔ１における流量センサ２０による吐水される水の検知と連動して、時刻ｔ２において超音波発振器２２による発振を開始させ、排水本体部８内の水位が最大水位Ｗ１となる期間のうち少なくとも一部の期間において超音波発振器２２による発振を行わせている。
また、制御装置２４は、排水本体部８内の水位が最大水位Ｗ１まで上昇する前に超音波発振器２２による発振を開始させている。発振された超音波Ｋは水面によって跳ね返ってくる超音波Ｋとの間で干渉され、超音波Ｋの腹Ｄと節Ｃとが形成される（図１０参照）。超音波の節Ｃにおいては、超音波洗浄能力がやや低下する一方、超音波の腹Ｄにおいては、超音波洗浄能力がやや増大する。水位（水面）の位置が変化する（上昇又は下降する）場合には、干渉した超音波の腹Ｄと節Ｃとの位置が変化するので、比較的洗浄能力の低い節Ｃの位置が同じ位置に留まることなく、変化することができる。このように、制御装置２４は、水位上昇中の洗浄ムラを抑制する超音波洗浄を有効に行うことができる。また、制御装置２４は、排水本体部８内の水位が最大水位Ｗ１に到達するとき既に超音波発振器２２による発振を行わせている。また、制御装置２４は、発振を開始してから封水の水位が最大水位Ｗ１となるまでの期間及び最大水位Ｗ１となっている期間において超音波発振器２２による発振を継続させている。
【００５８】
図１３のＳ１においてキッチン用水栓装置６からの吐水が終了されると、Ｓ５に進む（図１４の時刻ｔ３）。
Ｓ５において、制御装置２４は、超音波発振器２２により超音波が発振されているか否かを判定する。
超音波発振器２２により超音波が発振されている場合には、制御装置２４は、キッチン用水栓装置６からの吐水の停止に伴い、排水本体部８内の水位の低下中に洗浄ムラを生じにくい洗浄を行わせるため、Ｓ６に進む。
超音波発振器２２により超音波が発振されていない場合には、制御装置２４は、キッチン用水栓装置６からの吐水が停止されており、超音波発振器２２も停止された待機状態であると判断できるので、リターンに進み、スタートに戻る。
【００５９】
次に、Ｓ６において、制御装置２４は、流量センサ２０により検知した吐水停止からの経過時間により排水本体部８内の水位を計算する。具体的には、流量センサ２０が吐水停止を検知した状態においては、水位が最大水位Ｗ１となっており、最大水位Ｗ１の貯水量から第２排水流路１４からの排水流量を控除して排水本体部８内の水位を計算する。よって、制御装置２４は、時間経過に伴う排水本体部８内の水位を比較的正確に想定することができる。
【００６０】
次に、Ｓ７において、制御装置２４は、排水本体部８内の水位が封水水位Ｗ２に到達したか否かを判定する。
図１４の時刻ｔ４に示すように、排水本体部８内の水位が封水水位Ｗ２に到達した場合には、制御装置２４は、水位下降中の洗浄ムラを抑制する超音波洗浄を有効に行った上で、超音波発振器２２の耐久性を低下させにくくすることを両立するため、以後超音波発振器２２を停止させることが有効であると判断できるので、Ｓ８に進む。
排水本体部８内の水位が封水水位Ｗ２に到達していない場合には、制御装置２４は、超音波発振器２２による発振を継続することにより、水位下降中の洗浄ムラを抑制する超音波洗浄を有効に行うことができると判断できるので、リターンに進み、スタートに戻る。制御装置２４は、流量センサ２０が吐水停止を検知し且つ超音波発振器２２による発振が継続している間は、排水本体部８内の水位が封水水位Ｗ２に到達するまで、Ｓ１、Ｓ５、Ｓ６及びＳ７の判定及び処理を繰り返す。
【００６１】
次に、Ｓ８において、制御装置２４は、超音波発振器２２による超音波の発振を停止（ＯＦＦ状態）させる。制御装置２４は、排水本体部８のより確実な洗浄のため、排水本体部８内の水位が封水水位Ｗ２まで低下した以後に、超音波発振器２２による発振を停止させている。制御装置２４は、Ｓ８の実行後、リターンに進み、スタートに戻る。
制御装置２４は、超音波発振器２２の耐久性を低下させにくくするため、排水本体部８内の水位の最大水位Ｗ１からの下降中の任意の時点（例えば水位の下降中に第３水位Ｗ３となる時刻ｔ４’）で超音波発振器２２による発振を停止させてもよい（図１４の点線により示す）。なお、排水本体部８内の水位の下降時は、水位の下降中及び排水本体部８内の水位が下降に伴って封水水位Ｗ２に到達したとき（ほぼ同時のタイミング）を含む。これにより、超音波洗浄により排水本体部８内に剥がれた汚れを、水位の下降に伴って排出させることができる。さらに、汚れを排水本体部８から排出できるので汚れの再付着を抑制することができる。
【００６２】
次に、図１５及び図１６により、上述した本発明の第１実施形態による排水システムの第１変形例の超音波発振器２２の動作を説明する。本発明の第１実施形態による排水システムの第１変形例の動作（作用）について、第１実施形態による排水システム１の動作（作用）と異なる点のみを説明し、同様の部分については説明を省略する。
図１５は、本発明の第１実施形態による排水システムの第１変形例における制御装置の制御内容を示すフローチャートである。
図１６は、本発明の第１実施形態による排水システムの第１変形例において、流量センサによる吐水の検知状態、排水本体部内の水位、超音波発振器の作動状態を示すタイミングチャートである。図１５において、Ｓは各ステップを示している。
【００６３】
図１５に示すように、処理のスタート時の時刻ｔ１０において、キッチン用水栓装置６は、吐水がなされる前の待機状態となっている。排水本体部８内においては水が封水水位Ｗ２（図７参照）に貯留された状態となっている。
最初に、図１５のＳ１１において、制御装置２４は、流量センサ２０による吐水される水の検知がなされたか否かを判定する。
流量センサ２０による吐水される水の検知がなされた場合（図１６の時刻ｔ１１に例示するように検知状態がＯＮとなる場合）には、制御装置２４は、キッチン用水栓装置６の吐水部６ｂからの吐水が開始されたと判断できるので、Ｓ１２に進む。
流量センサ２０による吐水される水の検知がなされていない場合（図１６の時刻ｔ１２に例示するように検知状態がＯＦＦとなる場合）には、制御装置２４は、キッチン用水栓装置６の吐水部６ｂからの吐水が終了した又は停止状態のままであると判断できるので、Ｓ１３に進む。
【００６４】
次に、Ｓ１２において、制御装置２４は、超音波発振器２２により超音波を発振（ＯＮ状態）させる（時刻ｔ１１）。よって、制御装置２４は、流量センサ２０からの供給開始信号を受信（時刻ｔ１１）して以後、排水本体部８内の水位が最大水位Ｗ１まで上昇する前に、超音波発振器による発振を開始させている。ここでは、流量センサ２０による吐水の検知とほぼ同時に超音波発振器２２による超音波洗浄が開始される。この場合、制御装置２４は、排水本体部８内の水位を計算することなく、シンプルに且つ早期に超音波発振器２２の発振を開始させることができる。制御装置２４は、続いて、Ｓ１１に戻る。制御装置２４は、流量センサ２０による水の検知がなされている間は、Ｓ１１及びＳ１２の判定及び処理を繰り返している。
【００６５】
図１６に示すように、制御装置２４は、時刻ｔ１１における流量センサ２０による吐水される水の検知と連動して、時刻ｔ１１において超音波発振器２２による発振を開始させ、排水本体部８内の水位が最大水位Ｗ１となる期間のうち少なくとも一部の期間において超音波発振器２２による発振を行わせている。また、制御装置２４は、排水本体部８内の水位が最大水位Ｗ１まで上昇する前に超音波発振器２２による発振を開始させている。また、制御装置２４は、排水本体部８内の水位が最大水位Ｗ１に到達するとき既に超音波発振器２２による発振を行わせている。また、制御装置２４は、発振を開始してから排水本体部８内の水位が最大水位Ｗ１となるまでの期間及び最大水位Ｗ１となっている期間の全てにわたって超音波発振器２２による発振を継続させている。
【００６６】
図１５のＳ１１においてキッチン用水栓装置６からの吐水が終了されると、Ｓ１３に進む（図１６の時刻ｔ１２）。
Ｓ１３において、制御装置２４は、超音波発振器２２により超音波が発振されているか否かを判定する。
超音波発振器２２により超音波が発振されている場合には、制御装置２４は、キッチン用水栓装置６からの吐水の停止に伴い、排水本体部８内の水位が吐水停止との時間差で依然として最大水位Ｗ１である間において有効に超音波洗浄を行わせるため、Ｓ１４に進む。
超音波発振器２２により超音波が発振されていない場合には、制御装置２４は、キッチン用水栓装置６からの吐水が停止されており、超音波発振器２２も停止された待機状態であると判断できるので、リターンに進み、スタートに戻る。
【００６７】
次に、Ｓ１４において、制御装置２４は、排水本体部８内の水位が最大水位Ｗ１でなくなるか否かを判定する。
図１６の時刻ｔ１３に示すように、排水本体部８内の水位が最大水位Ｗ１でなくなる場合（ＹＥＳの場合）には、制御装置２４は、最大水位Ｗ１である期間の終わりまで有効に超音波洗浄を行った上で、超音波発振器２２の耐久性の低下を抑制できると判断できるので、Ｓ１５に進む。
排水本体部８内の水位が最大水位Ｗ１で依然として維持されそうな場合（ＮＯの場合）には、制御装置２４は、最大水位Ｗ１である期間の終わりまで有効に超音波洗浄を行わせるように、リターンに進み、スタートに戻る。制御装置２４は、流量センサ２０が吐水停止を検知し且つ超音波発振器２２による発振が継続している間は、排水本体部８内の水位が最大水位Ｗ１でなくなるまで、Ｓ１１、Ｓ１３及びＳ１４の判定及び処理を繰り返す。
【００６８】
次に、Ｓ１５において、制御装置２４は、超音波発振器２２による超音波の発振を停止（ＯＦＦ状態）させる。制御装置２４は、Ｓ１５の実行後、リターンに進み、スタートに戻る。
【００６９】
次に、図１７及び図１８により、上述した本発明の第１実施形態による排水システムの第２変形例の超音波発振器２２の動作を説明する。本発明の第１実施形態による排水システムの第２変形例の動作（作用）について、第１実施形態による排水システム１の動作（作用）と異なる点のみを説明し、同様の部分については説明を省略する。
図１７は、本発明の第１実施形態による排水システムの第２変形例における制御装置の制御内容を示すフローチャートであり、図１８は、本発明の第１実施形態による排水システムの第２変形例において、流量センサによる吐水の検知状態、排水本体部内の水位、超音波発振器の作動状態を示すタイミングチャートである。図１７において、Ｓは各ステップを示している。
【００７０】
図１７に示すように、処理のスタート時の時刻ｔ２０において、キッチン用水栓装置６は、吐水がなされる前の待機状態となっている。
最初に、図１７のＳ２１において、制御装置２４は、流量センサ２０による吐水される水の検知がなされたか否かを判定する。
流量センサ２０による吐水される水の検知がなされた場合（図１８の時刻ｔ２１に例示するように検知状態がＯＮとなる場合）には、制御装置２４は、キッチン用水栓装置６の吐水部６ｂからの吐水が開始されたと判断できるので、Ｓ２２に進む。
流量センサ２０による吐水される水の検知がなされていない場合（図１８の時刻ｔ２３に例示するように検知状態がＯＦＦとなる場合）には、制御装置２４は、キッチン用水栓装置６の吐水部６ｂからの吐水が終了した又は停止状態のままであると判断できるので、Ｓ２５に進む。
【００７１】
次に、Ｓ２２において、制御装置２４は、流量センサ２０により検知した水の流量から排水本体部８内の水位を計算する。具体的には、流量センサ２０により検知した水の単位時間あたりの流量に吐水している時間を乗じ第２排水流路１４からの排水流量を控除して排水本体部８内の水位を計算する。よって、制御装置２４は、排水本体部８内の水位を比較的正確に想定することができる。
【００７２】
次に、図１７のＳ２３において、制御装置２４は、Ｓ２２における計算により排水本体部８内の水位が最大水位Ｗ１に到達したか否かを判定する。
図１８の時刻ｔ２２に示すように、排水本体部８内の水位が最大水位Ｗ１に到達した場合には、制御装置２４は、最大水位Ｗ１である間において有効に超音波洗浄を行わせることができると判断できるので、超音波発振器２２による発振を開始させるため、Ｓ２４に進む。
排水本体部８内の水位が最大水位Ｗ１に到達していない場合には、制御装置２４は、超音波発振器２２による発振を抑制することにより超音波発振器２２の耐久性の低下を抑制することができると判断できるので、Ｓ２１に戻る。
【００７３】
次に、Ｓ２４において、制御装置２４は、超音波発振器２２により超音波を発振（ＯＮ状態）させる（図１８の時刻ｔ２２）。制御装置２４は、続いて、Ｓ２１に戻る。制御装置２４は、流量センサ２０による水の検知がなされている間は、Ｓ２１、Ｓ２２、Ｓ２３及びＳ２４の判定及び処理を繰り返している。
【００７４】
図１８に示すように、制御装置２４は、時刻ｔ２１における流量センサ２０による吐水される水の検知と連動して、時刻ｔ２２において超音波発振器２２による発振を開始させ、排水本体部８内の水位が最大水位Ｗ１となる期間のうち少なくとも一部の期間において超音波発振器２２による発振を行わせている。また、制御装置２４は、排水本体部８内の水位が最大水位Ｗ１まで上昇する前に超音波発振器２２による発振を開始させている。また、制御装置２４は、排水本体部８内の水位が最大水位Ｗ１に到達するとき既に超音波発振器２２による発振を行わせている。また、制御装置２４は、排水本体部８内の水位が最大水位Ｗ１となっている期間の全てにわたって超音波発振器２２による発振を継続させている。
【００７５】
図１７のＳ２１においてキッチン用水栓装置６からの吐水が終了されると、Ｓ２５に進む（図１８の時刻ｔ２３）。
Ｓ２５において、制御装置２４は、超音波発振器２２により超音波が発振されているか否かを判定する。
超音波発振器２２により超音波が発振されている場合には、制御装置２４は、キッチン用水栓装置６からの吐水の停止に伴う排水本体部８内の水位の低下中に洗浄ムラを生じにくい洗浄を行わせるため、Ｓ２６に進む。
超音波発振器２２により超音波が発振されていない場合には、制御装置２４は、キッチン用水栓装置６からの吐水が停止されており、超音波発振器２２も停止された待機状態であると判断できるので、リターンに進み、スタートに戻る。
【００７６】
次に、Ｓ２６において、制御装置２４は、流量センサ２０により検知した吐水停止からの経過時間により排水本体部８内の水位を計算する。具体的には、流量センサ２０が吐水停止を検知した状態においては、水位が最大水位Ｗ１となっており、最大水位Ｗ１から第２排水流路１４からの排水流量を控除して排水本体部８内の水位を計算する。よって、制御装置２４は、時間経過に伴う排水本体部８内の水位を比較的正確に想定することができる。
【００７７】
次に、Ｓ２７において、制御装置２４は、排水本体部８内の水位が封水水位Ｗ２に到達してから所定時間が経過したか否かを判定する。
図１８に示すように、排水本体部８内の水位が封水水位Ｗ２に到達したとき（時刻ｔ２４）から所定時間が経過した場合（時刻ｔ２５）には、制御装置２４は、超音波洗浄を封水水位Ｗ２の到達後まで余裕をもって実行させ、水位下降中の洗浄ムラを抑制する超音波洗浄をより確実に封水水位Ｗ２近傍での水位変動の収束まで行うことができたと判断して、Ｓ２８に進む。
排水本体部８内の水位が封水水位Ｗ２に到達したとき（時刻ｔ２４）から所定時間が経過していない場合には、制御装置２４は、超音波発振器２２による発振を継続することにより、水位下降中の洗浄ムラを抑制する超音波洗浄を封水水位Ｗ２近傍での水位変動の収束まで有効に行うことができると判断できるので、リターンに進み、スタートに戻る。制御装置２４は、流量センサ２０が吐水停止を検知し且つ超音波発振器２２による発振が継続している間は、排水本体部８内の水位が封水水位Ｗ２に到達してから所定時間が経過するまで、Ｓ２１、Ｓ２５、Ｓ２６及びＳ２７の判定及び処理を繰り返す。所定時間は、１秒乃至５分、好ましくは１秒乃至２分の範囲において設定される。
【００７８】
次に、Ｓ２８において、制御装置２４は、超音波発振器２２による超音波の発振を停止（ＯＦＦ状態）させる。制御装置２４は、排水本体部８のより確実な洗浄のため、排水本体部８内の水位の封水水位Ｗ２までの低下が完了した後に、超音波発振器による発振を停止させている。制御装置２４は、Ｓ２８の実行後、リターンに進み、スタートに戻る。
よって、制御装置２４は、封水水位Ｗ２まで下降後に超音波発振器２２による発振を停止させる。
【００７９】
次に、図１９乃至図２１により、上述した本発明の第１実施形態による排水システムの第３変形例の超音波発振器２２の動作（作用）を説明する。
図１９は本発明の第１実施形態による排水システムの第３変形例の構成を正面から見た正面図であり、図２０は、本発明の第１実施形態による排水システムの第３変形例における制御装置の制御内容を示すフローチャートである。図２１は、本発明の第１実施形態による排水システムの第３変形例において、操作スイッチの状態、排水本体部内の水位、超音波発振器の作動状態を示すタイミングチャートである。図２０において、Ｓは各ステップを示している。
【００８０】
本変形例においては、排水システム１は、さらに、超音波発振器２２による超音波洗浄を行わせる操作スイッチ３４と、操作スイッチ３４の開始操作に対応した供給開始信号を制御装置２４に送信する供給開始信号送信部３６と、給水源側の吐水側流路６ｃと排水本体部８とを連通する供給流路３８と、供給流路３８の流路を開閉して水の供給を制御する開閉弁４０と、供給流路３８上に設けられる流量センサ２０と、を備えている（図１９参照）。操作スイッチ３４及び供給開始信号送信部３６はキッチン用水栓装置６に設けられている。操作スイッチ３４は、開始操作されると終了操作されるまではＯＮ状態（供給開始信号を送信している状態）となる。操作スイッチ３４は、開始操作されると、必ずしも押圧操作を継続していなくても、供給開始信号送信部３６から供給開始信号を送信させ、ＯＮ状態となり、制御装置２４に操作スイッチ３４がＯＮ状態と認識され、終了操作されたときに、供給開始信号送信部３６から供給終了信号を送信させ、制御装置２４に操作スイッチ３４がＯＦＦ状態と認識させるようにしてもよい。また、終了操作を省略し、操作スイッチ３４による開始操作の後、所定の時間が経過すると自動的に終了するように制御装置２４が制御するようにしてもよい。
【００８１】
供給流路３８は、その下流側がシンク４の底部に接続され、排水本体部８に超音波洗浄用に水を供給する流路を形成している。供給流路３８は、その上流側が水給水路９に接続されていてもよく、又は水給水路９以外の湯及び／又は水を供給する給水部に接続されていてもよい。供給流路３８上に流量センサ２０が設けられていてもよい。供給流路３８の下流端はシンク４の壁面に接続され、水をシンク４の底部４ａに向けて水を吐水する吐水口部３８ａを形成している。
【００８２】
操作スイッチ３４が操作され、ＯＮ状態とＯＦＦ状態とが切り替えられるとき、これに対応して開閉弁４０の開閉が切替えられる。これら流量センサ２０、操作スイッチ３４、供給開始信号送信部３６及び開閉弁４０は制御装置２４に電気的に接続されている。
【００８３】
図２１に示すように、処理のスタート時の時刻ｔ３０において、キッチン用水栓装置６は、吐水がなされる前の待機状態となっている。排水本体部８内においては水が封水水位Ｗ２（図７参照）に貯留された状態となっている。
最初に、図２０のＳ３１において、制御装置２４は、操作スイッチ３４の超音波洗浄開始操作がなされ、供給開始信号送信部３６から供給開始信号を受信したか又は供給開始信号受信後においては供給終了信号を受信していないか（又は供給開始信号を継続して受信していないか）否かを判定する。
制御装置２４が供給開始信号送信部３６から供給開始信号を受信した場合（図２１の時刻ｔ３１に例示するように操作スイッチ３４がＯＮ状態となる場合）には、制御装置２４は、キッチン用水栓装置６の吐水部６ｂからの吐水が開始されたと判断できるので、Ｓ３２に進む。
制御装置２４が供給開始信号送信部３６から供給開始信号を受信していない又は供給開始信号受信後においては供給終了信号を受信した（又は供給開始信号を継続して受信していない）場合（図２１の時刻ｔ３３に例示するように検知状態がＯＦＦ状態となる場合）には、制御装置２４は、キッチン用水栓装置６の吐水部６ｂからの吐水が終了した又は停止状態のままであると判断できるので、Ｓ３４に進む。
【００８４】
次に、Ｓ３２において、制御装置２４は、制御装置２４が供給開始信号を受信してから水の供給状態のまま所定時間Ｔが経過したか否かを判定する。所定時間Ｔが経過すると排水本体部８内の水位の上昇が開始する。
所定時間Ｔが経過した場合には、制御装置２４は、吐水部６ｂから吐水された水が排水本体部８に到達し、排水本体部８に水が流入しながら排水本体部８をより効果的に洗浄できる状態となったと判断できるので、Ｓ３３に進む。
所定時間Ｔが経過していない場合には、制御装置２４は、吐水部６ｂから吐水された水が排水本体部８に到達しておらず、排水本体部８には未だ水が流入していない状態であると判断できるので、Ｓ３１に戻る。
【００８５】
次に、Ｓ３３において、制御装置２４は、超音波発振器２２により超音波を発振（ＯＮ状態）させる（時刻ｔ３２）。よって、制御装置２４は、供給開始信号送信部３６からの供給開始信号を受信して以後、排水本体部８内の水位が最大水位Ｗ１まで上昇する前に、超音波発振器２２による発振を開始させている。
【００８６】
制御装置２４は、続いて、Ｓ３１に戻る。制御装置２４は、操作スイッチ３４がＯＮ状態となっている間は、Ｓ３１、Ｓ３２及びＳ３３の判定及び処理を繰り返している。
【００８７】
操作スイッチ３４が操作されＯＦＦ状態とされると、供給終了信号が制御装置２４に送信され、制御装置２４は排水本体部８への水の供給を終了させる。図２０のＳ３１において排水本体部８への水の供給が終了されると、Ｓ３４に進む（図２１の時刻ｔ３３）。
Ｓ３４において、制御装置２４は、超音波発振器２２により超音波が発振されているか否かを判定する。
超音波発振器２２により超音波が発振されている場合には、制御装置２４は、排水本体部８への水の供給の停止に伴い、排水本体部８内の水位の低下中に洗浄ムラを生じにくい洗浄を行わせるため、Ｓ３５に進む。
超音波発振器２２により超音波が発振されていない場合には、制御装置２４は、排水本体部８への水の供給が停止されており、超音波発振器２２も停止された待機状態であると判断できるので、リターンに進み、スタートに戻る。
【００８８】
次に、Ｓ３５において、制御装置２４は、制御装置２４が供給開始信号を受信しなくなったときからの経過時間により排水本体部８内の水位を計算する。具体的には、制御装置２４が供給開始信号を受信しなくなったときにおいては、水位が最大水位Ｗ１となっており、最大水位Ｗ１の貯水量から第２排水流路１４からの排水流量を控除して排水本体部８内の水位を計算する。よって、制御装置２４は、時間経過に伴う排水本体部８内の水位を比較的正確に想定することができる。
【００８９】
次に、Ｓ３６において、制御装置２４は、排水本体部８内の水位が封水水位Ｗ２に到達してから所定時間が経過したか否かを判定する。
図２１に示すように、排水本体部８内の水位が封水水位Ｗ２に到達したとき（時刻ｔ３４）から所定時間が経過した場合（時刻ｔ３５）には、制御装置２４は、水位下降中の洗浄ムラを抑制する超音波洗浄をより確実に封水水位Ｗ２近傍での水位変動の収束まで行うことができたと判断して、Ｓ３７に進む。
排水本体部８内の水位が封水水位Ｗ２に到達したとき（時刻ｔ３４）から所定時間が経過していない場合には、制御装置２４は、超音波発振器２２による発振を継続することにより、水位下降中の洗浄ムラを抑制する超音波洗浄を封水水位Ｗ２近傍での水位変動の収束まで有効に行うことができると判断できるので、リターンに進み、スタートに戻る。制御装置２４は、制御装置２４が供給開始信号を受信しておらず且つ超音波発振器２２による発振が継続している間は、排水本体部８内の水位が封水水位Ｗ２に到達してから所定時間が経過するまで、Ｓ３１、Ｓ３４、Ｓ３５及びＳ３６の判定及び処理を繰り返す。所定時間は、１秒乃至５分、好ましくは１秒乃至２分の範囲において設定される。
【００９０】
次に、Ｓ３７において、制御装置２４は、超音波発振器２２による超音波の発振を停止（ＯＦＦ状態）させる。制御装置２４は、洗浄ムラを抑制する超音波洗浄をより確実に封水水位Ｗ２近傍での水位変動の収束まで行うため、排水本体部８内の水位の封水水位Ｗ２までの低下が完了した後に、超音波発振器による発振を停止させている。制御装置２４は、Ｓ３７の実行後、リターンに進み、スタートに戻る。
よって、制御装置２４は、封水水位Ｗ２まで下降後に超音波発振器２２による発振を停止させる。
【００９１】
なお、本変形例においては、排水システム１は、さらに、流量センサ２０を排水本体部８への供給流路上に備えていてもよい。流量センサ２０が水の供給流量を検出することができるので、排水本体部８内の水位を計算することができ、排水本体部８内の水位を比較的正確に想定することができる。よって、流量センサ２０の検出値に基づいて超音波発振器２２の作動及び停止のタイミングを制御することができる。
【００９２】
本発明の第１実施形態による排水システム、及び排水システムの各変形例等において、超音波を発振させる制御処理、例えばＳ１乃至Ｓ４、Ｓ１１及びＳ１２、Ｓ２１乃至Ｓ２４、Ｓ３１乃至Ｓ３３は、別の変形例等の超音波を発振させる制御処理として任意に組み替えることができる。例えば、制御装置２４がＳ１乃至Ｓ４とＳ２５乃至Ｓ２８を組み合わせた制御処理を行ってもよい。
同様に、本発明の第１実施形態による排水システム、及び排水システムの各変形例等において、超音波の発振停止の制御処理、例えばＳ５乃至Ｓ８、Ｓ１３乃至Ｓ１５、Ｓ２５乃至Ｓ２８、Ｓ３４乃至Ｓ３７は、別の変形例等の超音波の発振停止の制御処理として任意に組み替えることができる。例えば、制御装置２４がＳ１１及びＳ１２とＳ５乃至Ｓ８を組み合わせた制御処理を行ってもよい。
【００９３】
次に、図２８及び図２９により、上述した本発明の第１実施形態による排水システムの第４変形例を説明する。本発明の第１実施形態による排水システムの第４変形例について、第１実施形態による排水システム１と異なる点のみを説明し、同一部分には同一符号を付して説明を省略する。本発明の第１実施形態による排水システムの第４変形例の動作（作用）については、第１実施形態による排水システム１の動作（作用）と同様であるので説明を省略する。
図２８は、本発明の第１実施形態による排水システムの第４変形例における排水本体部において弁体が開状態となっている様子を示す拡大断面図である。図２９は、本発明の第１実施形態による排水システムの第４変形例における排水本体部において弁体が流路断面積減少状態となっている様子を示す拡大断面図である。
【００９４】
第４変形例においては、排水本体部の構造が本発明の第１実施形態による排水システムの排水本体部の構造と異なっている。本変形例においては、排水流路がひとつの流路により構成されている。排水本体部４０８は、入口部１０の下流側に設けられるトラップ形状の流路である第１排水流路１２を備えている。この排水流路は接続部１２ａと第１排水流路上昇部１２ｂと出口流路２６とにより構成されるＳ字形状であるため封水が形成され、その封水水位Ｗ２は第１排水流路１２の頂部１２ｃにて規定される。排水本体部４０８は、シンク４に吐水された水を排水するとともに、吐水された水の一部を貯留させてその内部に封水水位Ｗ２で通常時の封水を形成する封水形成部として機能する。
【００９５】
排水本体部４０８は、第１排水流路１２の下降部１２ｄに弁体４１３を備えている。弁体４１３は制御装置２４と電気的に接続され、制御装置２４からの制御指令を受けて流路の開度を変更することができる。図２８に示すように、例えば通常時には弁を開状態とすることで、出口側の流路の開口径を広く形成させ、流路断面積をＡ１とさせ、十分な排水を可能とすることができる。一方、図２９に示すように、例えば流量センサ２０が吐水を検知するとき、制御装置２４は弁体４１３を流路の開口面積減少状態（又は閉状態）とするように制御させ、流路断面積をＡ２とさせ、出口流路２６から外部へ排出される単位時間当たりの水の量Ｑ２に対して、排水本体部４０８に供給される単位時間当たりの水の量Ｑ１が多くなるようにすることで排水流路内の封水の水位を上昇させる。第１排水流路１２及び弁体４１３は、キッチン用水栓装置６から吐水される水により、水位を、第１排水流路上昇部１２ｂ内の封水水位Ｗ２より高い洗浄時の封水の水位として設定された最大水位Ｗ１まで上昇させる水位上昇手段として機能する。また、流量センサ２０は、単位時間あたりの流量を検知しているので、封水の水位が所定の水位（最大水位Ｗ１）にまで上昇した後、制御装置２４は所定の水位を維持するように弁体４１３の開度を調整することができる。最大水位Ｗ１は、洗浄時の封水の水位として設定された第２水位である。最大水位Ｗ１は、入口部１０の高さ以下且つ封水水位Ｗ２の高さ以上の水位として、排水流量の調整により設定される。吐水が終了すると、制御装置２４は弁体４１３を再び開状態にさせる。
【００９６】
次に、図３０及び図３１により、上述した本発明の第１実施形態による排水システムの第５変形例を説明する。本発明の第１実施形態による排水システムの第５変形例について、第１実施形態による排水システム１と異なる点のみを説明し、同一部分には同一符号を付して説明を省略する。本発明の第１実施形態による排水システムの第４変形例の動作（作用）については、第１実施形態による排水システム１の動作（作用）と同様であるので説明を省略する。
図３０は、本発明の第１実施形態による排水システムの第５変形例における排水本体部において排水流路の頂部が低位置状態となっている様子を示す拡大断面図である。図３１は、本発明の第１実施形態による排水システムの第５変形例における排水本体部において排水流路の頂部が高位置状態となっている様子を示す拡大断面図である。
【００９７】
第５変形例においては、排水本体部の構造が本発明の第１実施形態による排水システムの排水本体部の構造と異なっている。本変形例においては、排水流路がひとつの流路により構成されている。排水本体部５０８は、入口部１０の下流側に設けられるトラップ形状の流路である第１排水流路５１２を備えている。この排水流路は接続部１２ａと第１排水流路上昇部５１２ｂと出口流路２６とにより構成されるＳ字形状であるため封水が形成され、その封水水位Ｗ２は第１排水流路５１２の頂部５１２ｃにて規定される。排水本体部５０８は、シンク４に吐水された水を排水するとともに、吐水された水の一部を貯留させてその内部に封水水位Ｗ２で通常時の封水を形成する封水形成部として機能する。
【００９８】
排水本体部８は、第１排水流路５１２において第１排水流路上昇部１２ｂと下降部１２ｄとを区画する壁に接続される可動壁５１５を備えている。可動壁は、第１排水流路上昇部１２ｂと出口流路２６とを区画する壁との接続部分を回転軸（トラップ回転部）として出口流路２６側に倒れ込むように回転する。可動壁５１５は、その姿勢に応じた最も高い位置により第１排水流路５１２の頂部５１２ｃを構成する。可動壁５１５は、制御装置２４と電気的に接続され、制御装置２４からの制御指令を受けて自身の姿勢を変更することができる。
【００９９】
図３０に示すように、例えば通常時には制御装置２４は、可動壁５１５の遠位側を出口流路２６側に倒れ込ませ、可動壁５１５の水平面に対する角度を小さくさせ、可動壁５１５の近位側（回転軸側）と遠位側とがほぼ水平となる、又は近位側よりも遠位側が下方に位置するように、姿勢を制御する。従って、第１排水流路５１２の頂部５１２ｃの位置が可動壁５１５の近位側によって規定され、比較的低い位置となるように設定される。このとき、封水水位Ｗ２が第１排水流路５１２の頂部５１２ｃにて規定される。
図３１に示すように、一方、例えば流量センサ２０が吐水を検知した場合には、制御装置２４は可動壁５１５の遠位端を第１排水流路上昇部１２ｂ側へ近づけるように回転させる（可動壁５１５の水平面に対する角度を大きくさせるように回転させる）ことで近位側よりも遠位側が上方に位置するように、姿勢を制御する。可動壁５１５は第１排水流路５１２の排水トラップの頂部５１２ｃの位置を上方に上昇させる機能を有する。従って、第１排水流路５１２の頂部５１２ｃの位置が可動壁５１５の遠位側によって規定され、比較的高い位置となるように設定される。これにより、排水流路内の封水の水位を、通常時の封水水位Ｗ２よりも上昇させることができる。よって、第１排水流路５１２及び可動壁５１５は、キッチン用水栓装置６から吐水される水により、水位を、第１排水流路上昇部１２ｂ内の封水水位Ｗ２より高い洗浄時の封水の水位として設定された最大水位Ｗ１まで上昇させる水位上昇手段として機能する。制御装置２４は封水の水位が所定の水位（最大水位Ｗ１）にまで上昇した後、所定の水位を維持するように可動壁５１５の姿勢を制御する。吐水が終了すると、制御装置２４は再び可動壁５１５の遠位側を出口流路２６側に倒れ込ませた状態にさせる。
【０１００】
なお、上述する第１変形例乃至第５変形例は、後述する第２実施形態乃至第４実施形態においても同様に適用することができる。
【０１０１】
上述した本発明の第１実施形態による排水システム１によれば、制御装置２４は、供給開始信号送信部からの供給開始信号を受信して以後、封水の水位が最大水位Ｗ１まで上昇する前に、超音波発振器２２による発振を開始させる。これにより、超音波発振器２２により超音波を発振させながら封水の水位を変動させることができ、封水内において重なり合う超音波Ｋの腹Ｄと節Ｃの位置を変化させることができる。よって、本発明によれば、超音波洗浄の洗浄力が位置によって不揃いとなる、いわゆる洗浄ムラが生じることを抑制することができる。
【０１０２】
さらに、本発明の第１実施形態による排水システム１によれば、制御装置２４は、封水の水位が上昇中に超音波発振器２２による発振を開始させる。これにより、封水の水位が上昇する前に排水本体部８への水の供給が終了してしまうような場合における超音波発振器２２の作動を抑制することができる。よって、封水の水位が上昇せず排水本体部における比較的低い部位に対する超音波洗浄のみが行われてしまうこと、及び、このような超音波洗浄を実行するために超音波発振器２２の耐久性を低下させてしまうことを抑制させることができる。
【０１０３】
さらに、本発明の第１実施形態による排水システム１によれば、制御装置２４は、封水の水位を上昇させて、拡径部が形成された第３水位以上となった時点で超音波発振器２２による発振を開始させる。排水本体部８の汚れを洗浄しにくくなる拡径部に水位が到達してから超音波洗浄を行うため、洗浄性能が低下する部分において超音波洗浄能力を向上させることができ、且つ第３水位Ｗ３より低い水位で超音波発振器２２による発振を省略することにより超音波発振器２２の耐久性が低下することを抑制させることができる。
【０１０４】
さらに、本発明の第１実施形態による排水システム１によれば、制御装置２４は、排水本体部８内の水位が封水水位Ｗ２まで低下した後に、超音波発振器２２による発振を停止させる。これにより、水位下降終了までの間、封水の水位を変動させながら、超音波発振器２２により超音波を発振させることができる。よって、本発明によれば、いわゆる洗浄ムラを生じることをより確実に抑制することができる。
【０１０５】
さらに、本発明の第１実施形態による排水システム１によれば、制御装置２４は、封水の水位が最大水位Ｗ１となっている期間において超音波発振器２２による発振を継続させる。これにより、制御装置２４は、排水本体部８内の最大水位Ｗ１まで水がある期間において超音波洗浄を継続して実行させ、封水の水位が最大水位Ｗ１まで上昇した領域内の超音波洗浄能力をより向上させることができる。
【０１０６】
次に、図２２及び図２３により、本発明の第２実施形態による排水システムを説明する。第２実施形態は、本発明による排水システムを浴室の洗い場床に適用した例である。図２２は本発明の第２実施形態による排水システムを備えた浴室の斜視図である。図２３は図２２のＸＸＩＩＩ−ＸＸＩＩＩ線に沿って見た浴室の床面近傍部分の部分拡大断面図である。
【０１０７】
第２実施形態による排水システム１０１は、上述した第１実施形態による排水システム１と基本構造が類似しているため、本発明の第２実施形態の第１実施形態とは異なる点のみを説明し、同様な部分については図面に同じ参照符号を付して説明を省略する。本発明の第２実施形態による排水システム１０１の動作（作用）については、第１実施形態による排水システム１の動作（作用）と同様であるので説明を省略する。
【０１０８】
排水システム１０１は、浴室１０２に設けられた水受け部である洗い場床１０４と、浴室１０２に設けられた水受け部である浴槽１０５と、洗い場床１０４に水（湯水）を吐水する浴室用水栓装置（浴室用水栓）である洗い場側水栓装置（吐水部）１０６と、浴槽１０５に水（湯水）を吐水する浴室用水栓装置（浴室用水栓）であるシャワー水栓装置（吐水部）１０７と、浴槽１０５に水（湯水）を吐水する供給装置である浴槽側水栓装置１０９と、洗い場床１０４の底部１０４ａの下流端と接続される排水本体部１０８とを備えている。洗い場床１０４は、洗い場側水栓装置１０６及び／又はシャワー水栓装置１０７から吐水された水を下流側に排出するように形成される。
【０１０９】
洗い場側水栓装置１０６及びシャワー水栓装置１０７は、上流側において、給水源（図示せず）から水が供給される水給水路９及び、湯が供給される湯給水路１１に接続される。洗い場側水栓装置１０６及びシャワー水栓装置１０７は、湯水混合栓６ａを備え、水給水路９からの水と、湯給水路１１からの湯とを混合し、吐水部１０６ｂ、１０７ｂから吐水させる。水給水路９及び湯給水路１１は、湯水混合栓６ａに接続され、吐水側流路６ｃが湯水混合栓６ａから下方側に延び、後述する流量センサ２０を通り、吐水部１０６ｂ、１０７ｂまで延びている。
【０１１０】
図２３に示すように、排水本体部１０８は、洗い場床１０４の下流側に設けられると共に封水を形成するように構成される。
排水本体部１０８は、洗い場床１０４側に開口される入口部１１０と、入口部１１０の下流側に設けられるトラップ形状の流路である第１排水流路１１２と、第１排水流路１１２から分岐される第２排水流路１１４と、一定の大きさの汚れが第２排水流路１１４に侵入することを抑制する侵入抑制部１１６を備えている。入口部１１０及び排水本体部１０８は洗い場床１０４の排水口部分を形成している。排水本体部１０８は、洗い場床１０４に吐水された水を排水するとともに、吐水された水の一部を貯留させてその内部に封水水位Ｗ２で通常時の封水を形成する封水形成部として機能する。入口部１１０は、底部１０４ａの一部が下方に窪むことにより形成されている。なお、排水本体部１０８には、洗い場床１０４からの流路とは別の水の供給流路が接続されていてもよい。別の水の供給流路は、別の給水源（図示せず）に接続されてもよい。排水本体部１０８内に供給される水には、洗い場床１０４からの流路とは別の水の供給流路から排水本体部１０８内に流入する水も含まれる。
【０１１１】
排水本体部１０８は、第３水位Ｗ３の高さにおいて排水流路の上方側部分が拡径される拡径部１０８ａを形成している。拡径部１０８ａは、排水流路の下方側部分よりも外周方向に広がった部分に壁面を形成している。よって、拡径部１０８ａは、排水本体部１０８の汚れを洗浄しにくくなる部分を形成している。後述する超音波発振器２２から直進する超音波が拡径部１０８ａまで回折するように回り込むことから拡径部１０８ａにおいては超音波洗浄の能力が低下しやすくなる。
【０１１２】
排水システム１は、さらに、洗い場側水栓装置１０６及び／又はシャワー水栓装置１０７から吐水される水を検知する検知部である流量センサ２０と、排水本体部１０８内の水に超音波を発振する超音波発振器２２と、超音波発振器２２の作動を制御する制御装置２４と、排水本体部１０８の第１排水流路１２の下流側に設けられる出口流路１２６を備えている。
【０１１３】
流量センサ２０は、洗い場側水栓装置１０６及び／又はシャワー水栓装置１０７の湯水混合栓６ａと吐水部１０６ｂ、１０７ｂとの間に設けられる。流量センサ２０は、吐水部１０６ｂ、１０７ｂから吐水される水の単位時間あたりの流量を検知できる。流量センサ２０は、排水本体部１０８への水の供給開始である水流の流量の検知開始、に対応した供給開始信号である検知信号を制御装置２４に送信している。よって、流量センサ２０は、排水本体部１０８への水の供給開始に対応した供給開始信号を制御装置２４に送信する供給開始信号送信部として機能する。流量センサ２０は、排水本体部１０８への水の供給中は供給開始信号がＯＮ状態となっている。
【０１１４】
超音波発振器２２は、排水本体部１０８内の入口部１１０の下方に設けられている。超音波発振器２２は、排水本体部１０８の底部に設けられ、上方に向けて電波を発振するように配置されている。
【０１１５】
制御装置２４は、超音波洗浄モードにより、洗い場側水栓装置１０６及び／又はシャワー水栓装置１０７からの吐水の開始と超音波洗浄の開始とを連動させることができる。制御装置２４は、流量センサ２０からの供給開始信号を受信して以後、排水本体部１０８内の水位が最大水位Ｗ１まで上昇する前に、超音波発振器による発振を開始させている。制御装置２４は、排水本体部１０８内の水位上昇の開始時点以後の上昇中に超音波発振器２２による発振を開始させている。制御装置２４は、排水本体部１０８内の水位が排水本体部１０８の汚れを洗浄しにくくなる部分が形成された第３水位Ｗ３以上となる場合に、超音波発振器による発振を開始させている。制御装置２４は、発振を開始してから排水本体部１０８内の水位が最大水位Ｗ１となるまでの期間及び最大水位Ｗ１となっている期間において超音波発振器２２による発振を継続させている。また、制御装置２４は、排水本体部１０８のより確実な洗浄のため、排水本体部１０８内の水位が封水水位Ｗ２まで低下した以後に、超音波発振器による発振を停止させている。
【０１１６】
網かご（図示せず）は、排水本体部１０８の上流側部分に配置されている。網かご（図示せず）は、入口部１１０の下方側の流路全体を覆うように形成される。網かご（図示せず）の上端は入口部１１０に配置されている。網かご（図示せず）は、水を通過させる一方、ごみ等の小物体を通過させずに内部に留めるようになっている。
【０１１７】
次に、図２３を参照して、本発明の第１実施形態による排水システムの第１排水流路１１２及び第２排水流路１１４について説明する。
排水システム１０１の排水本体部１０８の第１排水流路１１２は、入口部１１０の下方に接続される接続部１１２ａと、排水トラップを形成するように下流側に向けて斜め上方に上昇する上昇流路である第１排水流路上昇部１１２ｂと、第１排水流路上昇部１１２ｂと下降部１１２ｄとの間における折り返し部分である頂部１１２ｃと、頂部１１２ｃから下降する下降流路である下降部１１２ｄとを備えている。下降部１１２ｄは出口流路１２６と接続される。
【０１１８】
第１排水流路１１２は、第１排水流路上昇部１１２ｂから下降部１１２ｄに向けて折り返すトラップ形状の流路である。下降部１１２ｄは第１排水流路上昇部１１２ｂの下流端に接続され且つほぼ鉛直方向下方に延びるように形成されている。排水本体部１０８の内部の接続部１１２ａ、第１排水流路上昇部１１２ｂ及び第２排水流路１１４において後述するように封水が形成され、第１水位である封水水位Ｗ２が規定される。また、第１排水流路１１２は、トラップ形状の流路の頂部１１２ｃにより入口部１１０の高さ以下の最大水位Ｗ１を規定するように構成されている。最大水位Ｗ１は、洗浄時の封水の水位として設定された第２水位である。最大水位Ｗ１は、網かご（図示せず）の底面よりも高い位置、例えば網かごの上部に規定されている。最大水位Ｗ１は、網かごの上方に規定されていてもよい。第１排水流路１１２の頂部１１２ｃが、排水本体部１０８の入口部１１０の高さに設けられることにより、第１排水流路１１２により規定される最大水位Ｗ１は、排水本体部１０８の入口部１１０の高さとされる。第１排水流路１１２は、後述する単位時間あたりの第２排水量よりも大きな単位時間あたりの第１排水量を出口流路２６に排水できるような第１の流路断面積Ｄ１１に形成されている。第１の流路断面積Ｄ１１は、第１排水流路１１２の流路断面積のうち最小の流路断面積である。
【０１１９】
第２排水流路１１４は、第１排水流路１１２の頂部１１２ｃより上流側に設けられた第２排水流路１１４の入口部１１４ａから頂部１１２ｃより下流側に設けられた出口部１１４ｂまで延びるバイパス流路を形成する。第２排水流路１１４は、入口部１４ａと出口部１４ｂとの間において最も高い部分を形成する頂部１１４ｃと、入口部１１４ａから下流側に向けて斜め下方に延びる第２排水流路下降部１１４ｉとを備えている。
【０１２０】
第２排水流路１１４の入口部１１４ａは、排水本体部１０８の側壁に形成されている。出口部１１４ｂは、出口流路１２６の側壁に接続されている。
【０１２１】
第２排水流路１１４の入口部１１４ａは頂部１１４ｃを形成している。第２排水流路１１４は、頂部１１４ｃにより排水本体部１０８内の封水水位Ｗ２を規定する。なお、第２排水流路１１４は、例えば第２排水流路１１４の中間部分又はその出口が流路の最も高い部分を構成することにより封水水位Ｗ２を規定するように構成されてもよい。また、封水水位Ｗ２は、第２排水流路１１４以外の構成により規定されていてもよい。封水水位Ｗ２は、網かごより下方に規定される。封水水位Ｗ２は、排水本体部１０８の中央近傍又は下側部分に位置している。第２排水流路１４は、さらに、その流路の一部を絞る絞り部１３０を備えている。
【０１２２】
第２排水流路１１４は、絞り部１３０において、単位時間あたりに第２排水量を出口流路２６に排水できるような第２の流路断面積Ｄ１２に形成されている。第２の流路断面積Ｄ１２は、第２排水流路１１４の流路断面積のうち最小の流路断面積である。第２排水流路１１４の第２の流路断面積Ｄ１２は第１排水流路１１２の第１の流路断面積Ｄ１１よりも小さい。よって、第２排水流路１１４は、絞り部１３０により第１排水流路１１２よりも大きな流路抵抗を有するように形成されている。第２排水流路１１４は、第２排水流路１１４の絞り部３０の単位時間あたりの第２排水量を超える単位時間あたりの流入量の水が排水本体部１０８内に流入する場合に、排水本体部１０８内の水位を、封水水位Ｗ２より高く且つ第１排水流路１１２により規定される最大水位Ｗ１まで少なくとも上昇させるように機能する。
【０１２３】
第１排水流路１１２及び第２排水流路１１４は、排水本体部１０８内の水位が最大水位Ｗ１を超えないように、排水本体部１０８内に流入する水を出口流路１２６に排水させる排水手段として機能する。少なくとも第１排水流路１１２は、排水本体部１０８内の水位が最大水位Ｗ１を超えないように、第１排水流路１１２内の水を出口流路１２６に排水させるように機能する。排水手段は、第１排水流路１１２及び第２排水流路１１４により、排水本体部１０８内の水位が最大水位Ｗ１に到達した場合、排水本体部１０８から出口流路１２６に流出する水の単位時間あたりの排水量が排水本体部１０８内に流入する水の単位時間あたりの流入量以上にされるように形成されている。排水手段は、排水本体部１０８内に水が第２排水量を超える流入量でさらに流入されている間、排水本体部１０８内の水位を最大水位Ｗ１に維持するように形成されている。
【０１２４】
第１排水流路１１２及び第２排水流路１１４は、洗い場側水栓装置１０６及び／又はシャワー水栓装置１０７から吐水される水により、封水の水位を、第１排水流路上昇部１２ｂ内の第１水位である封水水位Ｗ２より高い洗浄時の封水の水位として設定された最大水位Ｗ１まで上昇させる水位上昇手段として機能する。少なくとも第２排水流路１１４は、絞り部１３０の単位時間あたりの第２排水量を超える単位時間あたりの流入量の水が排水本体部１０８内に流入する場合に、排水本体部１０８内の水位を、封水水位Ｗ２より高く且つ最大水位Ｗ１まで少なくとも上昇させるように機能する。
【０１２５】
次に、図２４及び図２５により、本発明の第３実施形態による排水システムを説明する。第３実施形態は、本発明による排水システムを浴室の浴槽に適用した例である。図２４は本発明の第３実施形態による排水システムを備えた浴室の斜視図である。図２５は図２４のＸＸＶ−ＸＸＶ線に沿って見た浴室の床面近傍部分の部分拡大断面図である。
【０１２６】
第３実施形態による排水システム２０１は、上述した第２実施形態による排水システム１０１とほぼ同様の構造を有する部分があるため、本発明の第３実施形態の第２実施形態とは異なる点のみを説明し、同様な部分については図面に同じ参照符号を付して説明を省略する。本発明の第３実施形態による排水システム２０１の動作（作用）については、第１実施形態による排水システム１の動作（作用）と同様であるので説明を省略する。
【０１２７】
排水システム２０１は、さらに、浴槽１０５の底部１０５ａの下流端に接続される排水本体部２０８を備えている。
【０１２８】
浴槽側水栓装置１０９は、上流側において、給水源（図示せず）から水が供給される水給水路９及び、湯が供給される湯給水路１１に接続される。浴槽側水栓装置１０９は、湯水混合部である湯水混合栓６ａを備え、水給水路９からの水と、湯給水路１１からの湯とを湯水混合栓６ａにおいて混合し、浴槽１０５に吐水する吐水部２０６ｂから吐水させる。水給水路９及び湯給水路１１は、湯水混合栓６ａに接続され、吐水側流路６ｃが湯水混合栓６ａから延び、後述する流量センサ２０を通り、吐水部２０６ｂまで延びている。浴槽側水栓装置１０９の吐水部２０６ｂ及びシャワー水栓装置１０７の吐水部１０７ｂは、水を浴槽１０５内に吐水する。浴槽側水栓装置１０９、シャワー水栓装置１０７は、それぞれ、浴槽１０５を介して、排水本体部２０８に水を供給する。浴槽１０５は、浴槽側水栓装置１０９及び／又はシャワー水栓装置１０７から吐水された水を下流側に排出するように形成される。
【０１２９】
図２５に示すように、排水本体部２０８は、浴槽１０５の下流側に設けられると共に封水を形成するように構成される。
排水本体部２０８は、浴槽１０５側に開口される入口部２１０と、入口部２１０の下流側に設けられるトラップ形状の流路である第１排水流路２１２と、第１排水流路２１２から分岐される第２排水流路１１４と、一定の大きさの汚れが第２排水流路１１４に侵入することを抑制する侵入抑制部１１６を備えている。入口部２１０及び排水本体部２０８は浴槽１０５の排水口部分を形成している。排水本体部２０８は、浴槽１０５に吐水された水を排水するとともに、吐水された水の一部を貯留させてその内部に封水水位Ｗ２で通常時の封水を形成する封水形成部として機能する。入口部２１０は、底部１０５ａの一部が底面よりも下方に窪むことにより形成されている。なお、排水本体部２０８には、浴槽１０５からの流路とは別の水の供給流路が接続されていてもよい。別の水の供給流路は、別の給水源（図示せず）に接続される。排水本体部２０８内に流入する水には、浴槽１０５からの流路とは別の水の供給流路から排水本体部２０８内に流入する水も含まれる。
【０１３０】
排水本体部２０８は、第３水位Ｗ３の高さ近傍において排水流路の上方側部分が拡径される拡径部２０８ａを形成している。拡径部２０８ａは、排水流路の下方側部分よりも外周方向に広がった部分に壁面を形成している。よって、拡径部２０８ａは、排水本体部２０８の汚れを洗浄しにくくなる部分を形成している。後述する超音波発振器２２２から直進する超音波が拡径部２０８ａまで回折するように回り込むことから拡径部２０８ａにおいては超音波洗浄の能力が低下しやすくなる。
【０１３１】
排水システム２０１は、さらに、浴槽側水栓装置１０９及び／又はシャワー水栓装置１０７から吐水される水を検知する検知部である流量センサ２０と、排水本体部２０８内の水に超音波を発振する超音波発振器２２２と、超音波発振器２２２の作動を制御する制御装置２４と、排水本体部２０８の第１排水流路２１２の下流側に設けられる出口流路１２６を備えている。
【０１３２】
流量センサ２０は、浴槽側水栓装置１０９及び／又はシャワー水栓装置１０７の湯水混合栓６ａと吐水部２０６ｂ、１０７ｂとの間に設けられる。流量センサ２０は、吐水部２０６ｂ、１０７ｂから吐水される水の単位時間あたりの流量を検知できる。流量センサ２０は、排水本体部２０８への水の供給開始である水流の流量の検知開始、に対応した供給開始信号である検知信号を制御装置２４に送信している。よって、流量センサ２０は、排水本体部２０８への水の供給開始に対応した供給開始信号を制御装置２４に送信する供給開始信号送信部として機能する。流量センサ２０は、排水本体部２０８への水の供給中は供給開始信号がＯＮ状態となっている。
【０１３３】
制御装置２４は、流量センサ２０からの供給開始信号を受信して以後、排水本体部２０８内の水位が最大水位Ｗ１まで上昇する前に、超音波発振器による発振を開始させている。制御装置２４は、排水本体部２０８内の水位上昇の開始時点以後の上昇中に超音波発振器２２による発振を開始させている。制御装置２４は、排水本体部２０８内の水位が排水本体部２０８の汚れを洗浄しにくくなる部分が形成された第３水位Ｗ３以上となる場合に、超音波発振器による発振を開始させている。制御装置２４は、発振を開始してから排水本体部２０８内の水位が最大水位Ｗ１となるまでの期間及び最大水位Ｗ１となっている期間において超音波発振器２２による発振を継続させている。また、制御装置２４は、排水本体部２０８のより確実な洗浄のため、排水本体部２０８内の水位が封水水位Ｗ２まで低下した以後に、超音波発振器による発振を停止させている。
【０１３４】
超音波発振器２２２は、排水本体部２０８内の入口部２１０の下方に設けられている。超音波発振器２２２は、排水本体部２０８の底部に設けられ、上方に向けて電波を発振するように配置されている。
【０１３５】
網かご（図示せず）は、排水本体部２０８の上流側部分に配置されている。網かご（図示せず）は、入口部２１０の下方側の流路全体を覆うように形成される。
【０１３６】
次に、図２５を参照して、本発明の第１実施形態による排水システムの第１排水流路２１２及び第２排水流路１１４について説明する。
排水システム２０１の排水本体部２０８の第１排水流路２１２は、入口部２１０の下方に接続される接続部２１２ａと、排水トラップを形成するように下流側に向けて斜め上方に上昇する上昇流路である第１排水流路上昇部２１２ｂと、第１排水流路上昇部２１２ｂと下降部２１２ｄとの間における折り返し部分である頂部２１２ｃと、頂部２１２ｃから下降する下降流路である下降部２１２ｄとを備えている。下降部２１２ｄは出口流路１２６と接続される。
【０１３７】
第１排水流路２１２は、第１排水流路上昇部２１２ｂから下降部２１２ｄに向けて折り返すトラップ形状の流路である。下降部２１２ｄは第１排水流路上昇部２１２ｂの下流端に接続され且つほぼ鉛直方向下方に延びるように形成されている。排水本体部２０８の内部の接続部２１２ａ、第１排水流路上昇部２１２ｂ及び第２排水流路１１４において後述するように封水が形成され、封水水位Ｗ２が規定される。また、第１排水流路２１２は、トラップ形状の流路の頂部２１２ｃにより入口部２１０の高さ以下の最大水位Ｗ１を規定するように構成されている。最大水位Ｗ１は、網かご（図示せず）の底面よりも高い位置、例えば網かごの上部に規定されている。最大水位Ｗ１は、網かごの上方に規定されていてもよい。第１排水流路２１２の頂部２１２ｃが、排水本体部２０８の入口部２１０の高さに設けられることにより、第１排水流路２１２により規定される最大水位Ｗ１は、排水本体部２０８の入口部２１０の高さとされる。第１排水流路２１２は、後述する単位時間あたりの第２排水量よりも大きな単位時間あたりの第１排水量を出口流路１２６に排水できるような第１の流路断面積Ｄ１１に形成されている。第１の流路断面積Ｄ１１は、第１排水流路２１２の流路断面積のうち最小の流路断面積である。
【０１３８】
第２排水流路１１４の入口部１１４ａは、排水本体部２０８（排水本体部１０８）の側壁に形成されている。出口部１１４ｂは、出口流路１２６の側壁に接続されている。
【０１３９】
第２排水流路１１４の入口部１１４ａは頂部１１４ｃを形成している。第２排水流路１１４は、頂部１１４ｃにより排水本体部２０８内の封水水位Ｗ２を規定する。なお、第２排水流路１１４は、例えば第２排水流路１１４の中間部分又はその出口が流路の最も高い部分を構成することにより封水水位Ｗ２を規定するように構成されてもよい。また、封水水位Ｗ２は、第２排水流路１１４以外の構成により規定されていてもよい。封水水位Ｗ２は、網かごより下方に規定される。封水水位Ｗ２は、排水本体部２０８の中央近傍又は下側部分に位置している。
【０１４０】
第１排水流路２１２及び第２排水流路１１４は、排水本体部２０８内の水位が最大水位Ｗ１を超えないように、排水本体部２０８内に流入する水を出口流路１２６に排水させる排水手段として機能する。少なくとも第１排水流路２１２は、排水本体部２０８内の水位が最大水位Ｗ１を超えないように、第１排水流路２１２内の水を出口流路１２６に排水させるように機能する。排水手段は、第１排水流路２１２及び第２排水流路１１４により、排水本体部１０８内の水位が最大水位Ｗ１に到達した場合、排水本体部２０８から出口流路１２６に流出する水の単位時間あたりの排水量が排水本体部２０８内に流入する水の単位時間あたりの流入量以上にされるように形成されている。排水手段は、排水本体部２０８内に水が第２排水量を超える流入量でさらに流入されている間、排水本体部２０８内の水位を最大水位Ｗ１に維持するように形成されている。
【０１４１】
第１排水流路２１２及び第２排水流路１１４は、浴槽側水栓装置１０９及び／又はシャワー水栓装置１０７から吐水される水により、封水の水位を、封水水位Ｗ２より高い洗浄時の封水の水位として設定された最大水位Ｗ１まで上昇させる水位上昇手段として機能する。少なくとも第２排水流路１１４は、絞り部１３０の単位時間あたりの第２排水量を超える単位時間あたりの流入量の水が排水本体部２０８内に流入する場合に、排水本体部２０８内の水位を、封水水位Ｗ２より高く且つ最大水位Ｗ１まで少なくとも上昇させるように機能する。
【０１４２】
次に、図２６及び図２７により、本発明の第４実施形態による排水システムを説明する。第４実施形態は、本発明による排水システムを洗面用水栓装置の洗面ボウルに適用した例である。図２６は本発明の第４実施形態による排水システムを備えた洗面用水栓装置の斜視図である。図２７は図２６のＸＸＶＩＩ−ＸＸＶＩＩ線に沿って見た洗面用水栓装置の洗面ボウルの床面近傍部分の部分拡大断面図である。なお、図２７において、内部構造の説明のため、排水本体部の断面で示されていない流路についても仮想線により内部構造を概略的に図示している。
【０１４３】
第４実施形態による排水システム３０１は、上述した第１実施形態による排水システム１と基本構造が類似しているため、本発明の第４実施形態につき第１実施形態とは異なる点のみを説明し、同様な部分については図面に同じ参照符号を付して説明を省略する。本発明の第４実施形態による排水システム３０１の動作（作用）については、第１実施形態による排水システム１の動作（作用）と同様であるので説明を省略する。
【０１４４】
排水システム３０１は、洗面化粧台３０２に設けられた水受け部である洗面ボウル３０４と、洗面ボウル３０４に水を吐水する洗面用水栓である洗面用水栓装置（吐水部）３０６と、洗面ボウル３０４の底部３０４ａの下流端と接続される排水本体部３０８とを備えている。洗面ボウル３０４は、洗面化粧台用のボウルに限られず、手洗いができる程度の大きさの手洗いボウルを含む。
【０１４５】
洗面用水栓装置３０６は、上流側において、給水源（図示せず）から水が供給される水給水路９及び、湯が供給される湯給水路１１に接続される。洗面用水栓装置３０６は、湯水混合栓６ａを備え、水給水路９からの水と、湯給水路１１からの湯とを混合し、吐水部３０６ｂから吐水させる。水給水路９及び湯給水路１１は、湯水混合栓６ａに接続され、吐水側流路６ｃが湯水混合栓６ａから後述する流量センサ２０を通り、吐水部３０６ｂまで延びている。洗面ボウル３０４は、洗面用水栓装置３０６から吐水された水を下流側に排出するように形成される。
【０１４６】
次に、図２６を参照して、本発明の第４実施形態による排水システムの排水本体部について説明する。
排水本体部３０８は、洗面ボウル３０４側に開口される入口部３１０と、入口部３１０の下流側に設けられるトラップ形状の流路である第１排水流路３１２と、第１排水流路３１２から分岐される第２排水流路３１４とを備えている。入口部３１０及び排水本体部３０８は洗面ボウル３０４の排水口部分を形成している。排水本体部３０８は、洗面ボウル３０４に吐水された水を排水するとともに、吐水された水の一部を貯留させてその内部に封水水位Ｗ２で通常時の封水を形成する封水形成部として機能する。入口部３１０は、底部３０４ａの一部が底面よりも下方に窪むことにより形成されている。なお、排水本体部３０８には、シンク４からの流路とは別の水の供給流路が接続されていてもよい。別の水の供給流路は、別の給水源（図示せず）に接続される。排水本体部３０８内に流入する水には、洗面ボウル３０４からの流路とは別の水の供給流路から排水本体部３０８内に流入する水も含まれる。また、排水本体部３０８内に流入する水には、洗剤、シャンプー、ボディーソープ、食器の汚れ、水受け部の汚れ等のいずれかを含むような水、例えば生活排水も含まれる。
【０１４７】
排水システム３０１は、さらに、洗面用水栓装置３０６から吐水される水を検知する検知部である流量センサ２０と、排水本体部３０８内の水に超音波を発振する超音波発振器２２と、超音波発振器２２の作動を制御する制御装置２４と、排水本体部３０８の第１排水流路３１２の下流側に設けられる出口流路３２６とを備えている。
【０１４８】
流量センサ２０は、洗面用水栓装置３０６の湯水混合栓６ａと吐水部３０６ｂとの間に設けられる。流量センサ２０は、洗面用水栓装置３０６の吐水部３０６ｂから吐水される水の単位時間あたりの流量を検知できる。
【０１４９】
超音波発振器２２は、排水本体部３０８内の入口部３１０の下方に設けられている。超音波発振器２２は、排水本体部３０８の底部に設けられ、上方に向けて電波を発振するように配置されている。
【０１５０】
網かご（図示せず）は、排水本体部３０８の上流側部分に配置されている。網かご（図示せず）は、入口部３１０の下方側の流路全体を覆うように形成される。
【０１５１】
制御装置２４は、超音波洗浄モードにより、洗面用水栓装置３０６からの吐水の開始と超音波洗浄の開始とを連動させることができる。制御装置２４は、流量センサ２０からの供給開始信号を受信して以後、排水本体部３０８内の水位が最大水位Ｗ１まで上昇する前に、超音波発振器による発振を開始させている。制御装置２４は、排水本体部３０８内の水位上昇の開始時点以後の上昇中に超音波発振器２２による発振を開始させている。制御装置２４は、排水本体部３０８内の水位が排水本体部３０８の汚れを洗浄しにくくなる部分が形成された第３水位Ｗ３以上となる場合に、超音波発振器による発振を開始させている。制御装置２４は、発振を開始してから排水本体部３０８内の水位が最大水位Ｗ１となるまでの期間及び最大水位Ｗ１となっている期間において超音波発振器２２による発振を継続させている。また、制御装置２４は、排水本体部３０８のより確実な洗浄のため、排水本体部３０８内の水位が封水水位Ｗ２まで低下した以後に、超音波発振器による発振を停止させている。
【０１５２】
出口流路３２６は、第１排水流路３１２の下流端に接続され、鉛直方向下方に延びている。出口流路３２６は、さらに下流側の排水配管（図示せず）に接続される。出口流路３２６は、その一部が排水本体部３０８によって形成されていてもよい。
【０１５３】
次に、図２６及び図２７を参照して、本発明の第１実施形態による排水システムの第１排水流路３１２及び第２排水流路３１４について説明する。
排水システム３０１の排水本体部３０８の第１排水流路３１２は、入口部３１０の下方に接続される接続部３１２ａと、排水トラップを形成するように下流側に向けて斜め上方に上昇する上昇流路である第１排水流路上昇部３１２ｂと、第１排水流路上昇部３１２ｂと下降部３１２ｄとの間において排水トラップの第１排水流路上昇部３１２ｂと接続する折り返し部分である頂部３１２ｃと、頂部１２ｃから下降する下降流路である下降部３１２ｄとを備えている。下降部３１２ｄは出口流路３２６と接続される。
【０１５４】
第１排水流路３１２は、第１排水流路上昇部３１２ｂから下降部３１２ｄに向けて折り返すトラップ形状の流路である。下降部３１２ｄは第１排水流路上昇部３１２ｂの下流端に接続され且つほぼ鉛直方向下方に延びるように形成されている。排水本体部３０８の内部の接続部３１２ａ、第１排水流路上昇部３１２ｂ及び第２排水流路３１４において後述するように封水が形成され、第１水位である封水水位Ｗ２が規定される。また、第１排水流路３１２は、トラップ形状の流路の頂部３１２ｃにより入口部３１０の高さ以下の最大水位Ｗ１を規定するように構成されている。最大水位Ｗ１は、洗浄時の封水の水位として設定された第２水位である。最大水位Ｗ１は、網かご（図示せず）の底面よりも高い位置、例えば網かご（図示せず）の上部に規定されている。最大水位Ｗ１は、網かご（図示せず）の上方に規定されていてもよい。第１排水流路３１２の頂部３１２ｃが、排水本体部３０８の入口部３１０の高さに設けられることにより、第１排水流路３１２により規定される最大水位Ｗ１は、排水本体部３０８の入口部３１０の高さとされる。第１排水流路３１２は、後述する単位時間あたりの第２排水量よりも大きな単位時間あたりの第１排水量を出口流路３２６に排水できるような第１の流路断面積Ｄ１に形成されている。第１の流路断面積Ｄ１は、第１排水流路３１２の流路断面積のうち最小の流路断面積である。
【０１５５】
第２排水流路３１４は、第１排水流路３１２の頂部３１２ｃより上流側に設けられた第２排水流路３１４の入口部３１０ａから頂部３１４ｃを形成している出口部３１４ｂまで延びるバイパス流路を形成する。第２排水流路３１４は、入口部３１０ａから下流側に向けて斜め上方に上昇する第２排水流路上昇部３１４ｈと、入口部３１０ａと出口部３１４ｂとの間において最も高い部分を形成する頂部３１４ｃとを備えている。
【０１５６】
第２排水流路３１４の入口部３１０ａは、第１排水流路３１２の第１排水流路上昇部３１２ｂの下面に接続されている。出口部３１４ｂは、出口流路３２６の側壁に接続されている。
【０１５７】
第２排水流路３１４は、頂部３１４ｃにより排水本体部３０８内の封水水位Ｗ２を規定する。なお、第２排水流路３１４は、例えば第２排水流路３１４の中間部分又はその入口が流路の最も高い部分を構成することにより封水水位Ｗ２を規定するように構成されてもよい。また、封水水位Ｗ２は、第２排水流路３１４以外の構成により規定されていてもよい。封水水位Ｗ２は、網かご（図示せず）より下方に規定される。封水水位Ｗ２は、第１排水流路上昇部３１２ｂの中央近傍又は下側部分に位置し、排水本体部３０８の中央近傍又は下側部分に位置している。
【０１５８】
第２排水流路３１４は、さらに、その流路の一部を絞る絞り部３３０を備えている。絞り部３３０は第２排水流路３１４の最小の流路径により形成されている。
【０１５９】
図２７に示すように、第２排水流路３１４の入口部３１０ａの流路断面は、円管形状に形成されている。第２排水流路３１４は、絞り部３３０において、単位時間あたりに第２排水量を出口流路３２６に排水できるような第２の流路断面積Ｄ２に形成されている。第２の流路断面積Ｄ２は、第２排水流路３１４の流路断面積のうち最小の流路断面積である。第２排水流路３１４の第２の流路断面積Ｄ２は第１排水流路３１２の第１の流路断面積Ｄ１よりも小さい。よって、第２排水流路３１４は、絞り部３０により第１排水流路３１２よりも大きな流路抵抗を有するように形成されている。第２排水流路３１４は、第２排水流路３１４の絞り部３３０の単位時間あたりの第２排水量を超える単位時間あたりの流入量の水が排水本体部３０８内に流入する場合に、排水本体部３０８内の水位を、封水水位Ｗ２より高く且つ第１排水流路１２により規定される最大水位Ｗ１まで少なくとも上昇させるように機能する。
【０１６０】
第１排水流路３１２及び第２排水流路３１４は、排水本体部３０８内の水位が最大水位Ｗ１を超えないように、排水本体部３０８内に流入する水を出口流路３２６に排水させる排水手段として機能する。少なくとも第１排水流路３１２は、排水本体部３０８内の水位が最大水位Ｗ１を超えないように、第１排水流路３１２内の水を出口流路３２６に排水させるように機能する。排水手段は、第１排水流路３１２及び第２排水流路３１４により、排水本体部３０８内の水位が最大水位Ｗ１に到達した場合、排水本体部３０８から出口流路３２６に流出する水の単位時間あたりの排水量が排水本体部３０８内に流入する水の単位時間あたりの流入量以上にされるように形成されている。排水手段は、排水本体部３０８内に水が第２排水量を超える流入量でさらに流入されている間、排水本体部３０８内の水位を最大水位Ｗ１に維持するように形成されている。
【０１６１】
第１排水流路３１２及び第２排水流路３１４は、洗面用水栓装置３０６から吐水される水により、封水の水位を、第１排水流路上昇部３１２ｂ内の封水水位Ｗ２より高い洗浄時の封水の水位として設定された最大水位Ｗ１まで上昇させる水位上昇手段として機能する。少なくとも第２排水流路３１４は、絞り部３３０の単位時間あたりの第２排水量を超える単位時間あたりの流入量の水が排水本体部３０８内に流入する場合に、排水本体部３０８内の水位を、封水水位Ｗ２より高く且つ最大水位Ｗ１まで少なくとも上昇させるように機能する。
【符号の説明】
【０１６２】
１        排水システム
４        シンク
８        排水本体部
１２      第１排水流路
１４      第２排水流路
２０      流量センサ
２２      超音波発振器
２４      制御装置
３６      供給開始信号送信部
１０１    排水システム
１０４    洗い場床
１０５    浴槽
１０６    洗い場側水栓装置
１０６ｂ  吐水部
１０７    シャワー水栓装置
１０７ｂ  吐水部
１０８    排水本体部
１０９    浴槽側水栓装置
１１２    第１排水流路
１１４    第２排水流路
２０１    排水システム
２０６ｂ  吐水部
２０８    排水本体部
２１２    第１排水流路
２２２    超音波発振器
３０１    排水システム
３０２    洗面化粧台
３０４    洗面ボウル
３０６    洗面用水栓装置
３０６ｂ  吐水部
３０８    排水本体部
３１２    第１排水流路
３１４    第２排水流路
Ｃ        節
Ｄ        腹
Ｋ        超音波
Ｓ        溜水面
Ｗ１      最大水位
Ｗ２      封水水位
Ｗ３      第３水位
【図１】
2020051220.tif 000003
【図２】
2020051220.tif 000004
【図３】
2020051220.tif 000005
【図４】
2020051220.tif 000006
【図５】
2020051220.tif 000007
【図６】
2020051220.tif 000008
【図７】
2020051220.tif 000009
【図８】
2020051220.tif 000010
【図９】
2020051220.tif 000011
【図１０】
2020051220.tif 000012
【図１１】
2020051220.tif 000013
【図１２】
2020051220.tif 000014
【図１３】
2020051220.tif 000015
【図１４】
2020051220.tif 000016
【図１５】
2020051220.tif 000017
【図１６】
2020051220.tif 000018
【図１７】
2020051220.tif 000019
【図１８】
2020051220.tif 000020
【図１９】
2020051220.tif 000021
【図２０】
2020051220.tif 000022
【図２１】
2020051220.tif 000023
【図２２】
2020051220.tif 000024
【図２３】
2020051220.tif 000025
【図２４】
2020051220.tif 000026
【図２５】
2020051220.tif 000027
【図２６】
2020051220.tif 000028
【図２７】
2020051220.tif 000029
【図２８】
2020051220.tif 000030
【図２９】
2020051220.tif 000031
【図３０】
2020051220.tif 000032
【図３１】
2020051220.tif 000033